(57)【要約】【課題】本発明は、ドライバ集積回路の電気的劣化を防止するプラズマディスプレイ装置及びその駆動方法を提供するためのものである。【解決手段】本発明は、複数のスキャン電極と、前記スキャン電極に交差する複数のデータ電極と、前記複数のスキャン電極に少なくとも２つ以上の互いに異なるスキャンパルス供給順序のうち、いずれか一つのスキャンパルス供給順序によって前記スキャンパルスを供給するスキャン駆動部と、前記データ電極に一つの前記スキャンパルスに対応し、前記スキャンパルスの印加時点と異なる時点を有する少なくとも一つのデータパルスを供給するデータ駆動部と、を含む。【選択図】図２
2007133348.tif 000002
【特許請求の範囲】
【請求項１】
複数のスキャン電極と、
前記スキャン電極に交差する複数のデータ電極と、
前記複数のスキャン電極に少なくとも２つ以上の互いに異なるスキャンパルス供給順序のうち、いずれか一つのスキャンパルス供給順序によってスキャンパルスを供給するスキャン駆動部と、
前記データ電極に前記スキャンパルスの１つに対応して、前記スキャンパルスの印加時点と異なる時点を有する少なくとも一つのデータパルスを供給するデータ駆動部と、
を含むことを特徴とするプラズマディスプレイ装置。
【請求項２】
前記スキャン駆動部は、前記複数のスキャンパルス供給順序のうち、外部から入力される映像データの変位電流を最小にするスキャンパルス供給順序で前記スキャンパルスを供給することを特徴とする、請求項１に記載のプラズマディスプレイ装置。
【請求項３】
前記スキャン電極は第１スキャン電極及び第２スキャン電極を含み、前記データ電極は第１データ電極及び第２データ電極を含み、
前記第１スキャン電極と第１及び第２データ電極との交差部に配置される第１放電セル及び第２放電セル、前記第２スキャン電極と前記第１データ電極及び第２データ電極との交差部に配置される第３放電セル及び第４放電セルを含み、
前記スキャン駆動部は、前記第１乃至第４放電セルのデータを比較して前記第１放電セルに対する前記変位電流を算出することを特徴とする、請求項２に記載のプラズマディスプレイ装置。
【請求項４】
前記スキャン駆動部は、
前記第１放電セルのデータと前記第２放電セルのデータとを比較した第１結果と、前記第１放電セルのデータと前記第３放電セルのデータとを比較した第２結果と、前記第３放電セルのデータと前記第４放電セルのデータとを比較した第３結果を求めて、前記第１乃至第３結果の組合せにより前記変位電流の算出式を決定し、決定された算出式を使用して算出される変位電流を合計して前記第１放電セルの総変位電流を算出することを特徴とする、請求項３に記載のプラズマディスプレイ装置。
【請求項５】
隣接するデータ電極間のキャパシタンス（Capacitance）をＣｍ１、データ電極とスキャン電極との間のキャパシタンスとデータ電極とサステイン電極との間のキャパシタンスとの合計をＣｍ２とすれば、前記スキャン駆動部は、前記Ｃｍ１及びＣｍ２に基づいて前記第１乃至第３結果の組合せにより前記変位電流を算出することを特徴とする、請求項４に記載のプラズマディスプレイ装置。
【請求項６】
前記スキャン駆動部は、１フレームの各サブフィールド毎に前記変位電流を算出し、前記各サブフィールド毎に前記変位電流が最小になる前記スキャンパルス供給順序で前記スキャンパルスを供給することを特徴とする、請求項２に記載のプラズマディスプレイ装置。
【請求項７】
前記スキャンパルス供給順序は、前記スキャン電極を複数のグループに分割してスキャンパルスを供給する第１スキャンパルス供給順序を含み、
前記スキャン駆動部は、前記変位電流が最小になるスキャンパルス供給順序が第１スキャンパルス供給順序である場合に、同一な前記スキャン電極グループに属するスキャン電極に連続してスキャンパルスを供給することを特徴とする、請求項２に記載のプラズマディスプレイ装置。
【請求項８】
前記スキャン駆動部は、
入力される映像データによって、前記複数のスキャンパルス供給順序の各々に該当する変位電流を演算し、前記複数のスキャンパルス供給順序のうち、前記変位電流が予め定めたしきい変位電流以下であるスキャンパルス供給順序のうち、少なくともいずれか一つのスキャンパルス供給順序で前記スキャン電極にスキャンパルスを供給することを特徴とする、請求項１に記載のプラズマディスプレイ装置。
【請求項９】
複数の前記データ電極は、少なくとも２つ以上のデータ電極群に分けられ、前記データ電極群は１つ以上の前記データ電極を含むことを特徴とする、請求項１に記載のプラズマディスプレイ装置。
【請求項１０】
前記複数のデータ電極群は、全て同一な個数の前記データ電極を含むか、又は、一つ以上の個数でかつ互いに相異する個数の前記データ電極を含むことを特徴とする、請求項９に記載のプラズマディスプレイ装置。
【請求項１１】
前記データ駆動部は、
一つの前記データ電極群に含まれた全てのデータ電極に同一な時点の前記データパルスを印加することを特徴とする、請求項９に記載のプラズマディスプレイ装置。
【請求項１２】
前記データ駆動部は、
一つの前記スキャンパルスに対応する少なくとも２つ以上の前記データパルス間の印加時点差を同一または相異なっているようにすることを特徴とする、請求項９に記載のプラズマディスプレイ装置。
【請求項１３】
前記データ駆動部は、
一つの前記スキャンパルスに対応する少なくとも２つ以上の前記データパルス間の印加時点差を１０ｎｓ以上１０００ｎｓ以下であるようにすることを特徴とする、請求項１２に記載のプラズマディスプレイ装置。
【請求項１４】
前記データ駆動部は、一つの前記スキャンパルスに対応する少なくとも２つ以上の前記データパルス間の印加時点差を所定スキャンパルス幅の１／１００倍以上１倍以下の値を有するようにすることを特徴とする、請求項１２に記載のプラズマディスプレイ装置。
【請求項１５】
複数のスキャン電極及び前記スキャン電極に交差する複数のデータ電極が形成されたプラズマディスプレイパネルと、
入力される映像データのデータパターンのうち、第１データパターンと異なる第２データパターンでは、前記複数のスキャン電極のスキャン順序を前記第１データパターンである場合と異なるようにして前記スキャン電極にスキャンパルスを供給するスキャン駆動部と、
前記データ電極に、一つの前記スキャンパルスに対応し、前記スキャンパルスの印加時点と異なる時点を有する少なくとも一つのデータパルスを供給するデータ駆動部と、
を含むことを特徴とするプラズマディスプレイ装置。
【請求項１６】
前記第１データパターンのデータロード値及び前記第２データパターンのデータロード値のうち、いずれか一つのロード値は予め設定されたしきいロード値以上であることを特徴とする、請求項１５に記載のプラズマディスプレイ装置。
【請求項１７】
前記データのパターンに係るデータロード値は、該当するデータパターンの横方向のデータロード値と縦方向のデータロード値との和で求められることを特徴とする、請求項１６に記載のプラズマディスプレイ装置。
【請求項１８】
前記第１データパターンの変位電流及び前記第２データパターンの変位電流のうち、いずれか一つの変位電流は予め設定されたしきい電流以上であることを特徴とする、請求項１５に記載のプラズマディスプレイ装置。
【請求項１９】
複数のスキャン電極及び前記スキャン電極に交差する方向に形成された複数のデータ電極を含むプラズマディスプレイ装置の駆動方法において、
前記複数のスキャン電極に、少なくとも２つ以上の互いに異なるスキャンパルス供給順序のうち、いずれか一つのスキャンパルス供給順序によって前記スキャンパルスを供給するステップと、
前記データ電極に、一つの前記スキャンパルスに対応し、前記スキャンパルスの印加時点と異なる時点を有する少なくとも一つのデータパルスを供給するステップと、
を含むことを特徴とするプラズマディスプレイ装置の駆動方法。
【請求項２０】
複数のスキャン電極及び前記スキャン電極に交差する方向に形成された複数のデータ電極を含むプラズマディスプレイ装置の駆動方法において、
入力される映像データのデータパターンのうち、第１データパターンと異なる第２データパターンでは前記複数のスキャン電極のスキャン順序を前記第１データパターンである場合と異にして前記スキャン電極にスキャンパルスを供給するステップと、
前記データ電極に、一つの前記スキャンパルスに対応し、前記スキャンパルスの印加時点と異なる時点を有する少なくとも一つのデータパルスを供給するステップと、
を含むことを特徴とするプラズマディスプレイ装置の駆動方法。
【発明の詳細な説明】
【技術分野】
【０００１】
本発明は、ディスプレイ装置に関し、より詳しくは、プラズマディスプレイ装置及びその駆動方法に関する。
【背景技術】
【０００２】
一般に、プラズマディスプレイ装置は、前面パネルと後面パネルとの間に形成された隔壁により、一つのセルをなすプラズマディスプレイパネルを含む。各セル内にはネオン（Ｎｅ）、ヘリウム（Ｈｅ）またはネオン及びヘリウムの混合気体（Ｎｅ＋Ｈｅ）のような主放電気体と少量のキセノン（Ｘｅ）を含有する不活性ガスが充填されている。このようなセルが複数個が集まって一つのピクセル（Pixel）をなす。例えば、赤色（Red、Ｒ）セル、緑色（Green、Ｇ）セル、青色（Blue、Ｂ）セルが集まって一つのピクセルをなすものである。
【０００３】
プラズマディスプレイ装置は、高周波電圧により放電される際、不活性ガスは真空紫外線（Vacuum Ultraviolet rays）を発生し、隔壁間に形成された蛍光体を発光させて可視光線を放出し、画像が具現される。このようなプラズマディスプレイ装置は、薄くて、かつ、軽い構成が可能であるので、次世代の表示装置として脚光を浴びている。
【０００４】
プラズマディスプレイパネルには、複数の電極、例えば、スキャン電極（Ｙ）、サステイン電極（Ｚ）、データ電極（Ｘ）が形成され、このような複数の電極に所定の駆動電圧を供給して放電を発生させることにより、映像を表示する。このようなプラズマディスプレイパネルの電極に駆動電圧を供給するためにドライバ集積回路（Driver Integrated Circuit）が電極に接続される。
【０００５】
例えば、プラズマディスプレイパネルの電極のうち、データ電極（Ｘ）にはデータドライバ集積回路が接続され、スキャン電極（Ｙ）にはスキャンドライバ集積回路が接続される。
【０００６】
一方、プラズマディスプレイパネルの駆動の際、前述のドライバ集積回路には変位電流（Displacement Current : Ｉｄ）が流れることになり、 このような変位電流は様々な要因によりその大きさが変わることになる。
【０００７】
例えば、前述したデータドライバ集積回路に流れる変位電流は、プラズマディスプレイパネルの等価キャパシタンス（Capacitance）Ｃとデータドライバ集積回路のスイッチング（Switching）回数によって増減する。より詳しくは、データドライバ集積回路に流れる変位電流は、プラズマディスプレイパネルの等価キャパシタンス（Capacitance、Ｃ）が増加することにつれて増加し、また、データドライバ集積回路のスイッチング（Switching）回数が増加することにつれて増加することになる。
【０００８】
一方、プラズマディスプレイパネルの等価キャパシタンス（Ｃ）は電極間の等価キャパシタンス（Ｃ）により決定されるが、これを添付された図１を参照して考察すると次の通りである。
【０００９】
図１は、プラズマディスプレイパネルの等価キャパシタンス（Ｃ）について説明するための図である。
【００１０】
図１を考察すると、プラズマディスプレイパネルの等価キャパシタンス（Ｃ）は、データ電極Ｘ間、例えばＸ１データ電極とＸ２データ電極との間の等価キャパシタンス（Ｃｍ１）と、データ電極Ｘとスキャン電極Ｙとの間、例えばＸ１データ電極とＹ１スキャン電極との間の等価キャパシタンス（Ｃｍ２）と、データ電極Ｘとサステイン電極Ｚとの間、例えばＸ１データ電極とＺ１サステイン電極との間の等価キャパシタンス（Ｃｍ２）とを含む。
【００１１】
一方、アドレス期間でスキャン電極（Ｙ）にスキャンパルスを供給してスキャン電極（Ｙ）を駆動するためのドライブ集積回路、例えばスキャンドライブ集積回路と、アドレス期間でデータ電極（Ｘ）にデータパルスを供給してデータ電極（Ｘ）を駆動するためのドライブ集積回路、例えばデータドライバ集積回路に含まれたスイッチング素子の動作によって、スキャン電極（Ｙ）またはデータ電極（Ｘ）に印加される電圧の状態が変わることになるので、前述したＣｍ１等価キャパシタンスとＣｍ２等価キャパシタンスによって発生した変位電流（Ｉｄ）がデータ電極（Ｘ）を通じてデータドライバ集積回路に流れることになる。
【００１２】
前述のように、プラズマディスプレイパネルの等価キャパシタンスが増加すればデータドライバ集積回路に流れる変位電流（Ｉｄ）の大きさが増加すると共に、データドライバ集積回路のスイッチング回数が増加すれば変位電流（Ｉｄ）の大きさが増加することになるが、このようなデータドライバ集積回路のスイッチング回数は入力される映像データによって変わる。
【００１３】
特に、映像データが論理（Logic）値１と０が繰り返される等の特定のパターンである場合には、データドライバ集積回路に流れる変位電流の大きさが過度に増加してデータドライバ集積回路の電気的劣化を被ることになる問題がある。
【発明の開示】
【発明が解決しようとする課題】
【００１４】
本発明は、ドライバ集積回路の電気的劣化を防止しようとするプラズマディスプレイ装置及びその駆動方法を提供することを目的とする。
【課題を解決するための手段】
【００１５】
本発明の一実施形態に係るプラズマディスプレイ装置は、複数のスキャン電極と、前記スキャン電極に交差する複数のデータ電極と、前記複数のスキャン電極に少なくとも２つ以上の互いに異なるスキャンパルス供給順序のうち、いずれか一つのスキャンパルス供給順序によってスキャンパルスを供給するスキャン駆動部と、前記データ電極に前記スキャンパルスの１つに対応し、前記スキャンパルスの印加時点と異なる時点を有する少なくとも一つのデータパルスを供給するデータ駆動部と、を含む。
【００１６】
前記スキャン部は、前記複数のスキャンパルス供給順序のうち、外部から入力される映像データの変位電流を最小にするスキャンパルス供給順序で前記スキャンパルスを供給することを特徴とする。
【００１７】
前記スキャン電極は第１スキャン電極及び第２スキャン電極を含み、前記データ電極は第１及び第２データ電極を含み、前記第１スキャン電極と第１データ電極及び第２データ電極との交差部に配置される第１放電セル及び第２放電セル、前記第２スキャン電極と前記第１データ電極及び第２データ電極との交差部に配置される第３放電セル及び第４放電セルを含み、前記スキャン駆動部は、前記第１乃至第４放電セルのデータを比較して前記第１放電セルに対する前記変位電流を算出することを特徴とする。
【００１８】
前記スキャン駆動部は、前記第１放電セルのデータと前記第２放電セルのデータとを比較した第１結果と、前記第１放電セルのデータと前記第３放電セルのデータとを比較した第２結果と、前記第３放電セルのデータと前記第４放電セルのデータとを比較した第３結果を求めて、前記第１乃至第３結果の組合せにより前記変位電流の算出式を決定して、前記第１放電セルを順次移動させて、前記第１放電セルごとに前記決定された算出式を使用して変位電流を算出し、各放電セルに対して算出された変位電流を合計して全放電セルの総変位電流を算出することを特徴とする。
【００１９】
隣接するデータ電極間のキャパシタンス（Capacitance）をＣｍ１、データ電極とスキャン電極との間のキャパシタンスとデータ電極とサステイン電極との間のキャパシタンスとの合計をＣｍ２とすれば、前記スキャン駆動部は、前記Ｃｍ１及びＣｍ２に基づいて前記第１乃至第３結果の組合により前記変位電流を算出することを特徴とする。
【００２０】
前記スキャン駆動部は、１フレームの各サブフィールド毎に前記変位電流を算出し、前記各サブフィールド毎に前記変位電流が最小になる前記スキャンパルス供給順序で前記スキャンパルスを供給することを特徴とする。
【００２１】
前記スキャンパルス供給順序は、前記スキャン電極を複数のグループに分割してスキャンパルスを供給する第１スキャンパルス供給順序を含み、前記スキャン駆動部は、前記変位電流が最小になるスキャンパルス供給順序が第１スキャンパルス供給順序である場合に、同一な前記スキャン電極グループに属するスキャン電極に連続してスキャンパルスを供給することを特徴とする。
【００２２】
前記スキャン駆動部は、入力される映像データによって前記複数のスキャンパルス供給順序の各々に該当する変位電流を演算し、前記複数のスキャンパルス供給順序のうち、前記変位電流が予め定めたしきい変位電流以下であるスキャンパルス供給順序のうち、少なくともいずれか一つのスキャンパルス供給順序で前記スキャン電極にスキャンパルスを供給することを特徴とする。
【００２３】
複数の前記データ電極は、少なくとも２つ以上のデータ電極群に分けられ、前記データ電極群は１つ以上の前記データ電極を含むことを特徴とする。
【００２４】
前記複数のデータ電極群は、全て同一な個数の前記データ電極を含むか、又は、一つ以上の個数でかつ互いに相異する個数の前記データ電極を含むことを特徴とする。
【００２５】
前記データ駆動部は、一つの前記データ電極群に含まれた全てのデータ電極に同一な時点の前記データパルスを印加することを特徴とする。
【００２６】
前記データ駆動部は、一つの前記スキャンパルスに対応する少なくとも２つ以上の前記データパルス間の印加時点差を同一または相異なっているようにすることを特徴とする。
【００２７】
前記データ駆動部は、一つの前記スキャンパルスに対応する少なくとも２つ以上の前記データパルス間の印加時点差を１０ｎｓ以上１０００ｎｓ以下であるようにすることを特徴とする。
【００２８】
前記データ駆動部は、一つの前記スキャンパルスに対応する少なくとも２つ以上の前記データパルス間の印加時点差を所定スキャンパルス幅の１／１００倍以上１倍以下の値を有するようにすることを特徴とする。
【００２９】
本発明の他の実施形態に係るプラズマディスプレイ装置は、複数のスキャン電極及び前記スキャン電極に交差する複数のデータ電極が形成されたプラズマディスプレイパネルと、入力される映像データのデータパターンのうち、第１データパターンと異なる第２データパターンでは、前記複数のスキャン電極のスキャン順序を前記第１データパターンである場合と異なるようにして前記スキャン電極にスキャンパルスを供給するスキャン駆動部と、前記データ電極に一つの前記スキャンパルスに対応し、前記スキャンパルスの印加時点と異なる時点を有する少なくとも一つのデータパルスを供給するデータ駆動部と、を含む。
【００３０】
前記第１データパターンのデータロード値及び前記第２データパターンのデータロード値のうち、いずれか一つのロード値は予め設定されたしきいロード値以上であることを特徴とする。
【００３１】
前記データのパターンに係るデータロード値は、該当するデータパターンの横方向のデータロード値と縦方向のデータロード値との和で求められることを特徴とする。
【００３２】
前記第１データパターンの変位電流及び前記第２データパターンの変位電流のうち、いずれか一つの変位電流は予め設定されたしきい電流以上であることを特徴とする。
【００３３】
本発明の一実施形態に係る複数のスキャン電極及び前記スキャン電極に交差する方向に形成された複数のデータ電極を含むプラズマディスプレイ装置の駆動方法は、前記複数のスキャン電極に、少なくとも２つ以上の互いに異なるスキャンパルス供給順序のうち、いずれか一つのスキャンパルス供給順序によって前記スキャンパルスを供給するステップと、前記データ電極に、一つの前記スキャンパルスに対応し、前記スキャンパルスの印加時点と異なる時点を有する少なくとも一つのデータパルスを供給するステップと、を含む。
【００３４】
本発明の他の実施形態に係る複数のスキャン電極及び前記スキャン電極に交差する方向に形成された複数のデータ電極を含むプラズマディスプレイ装置の駆動方法は、入力される映像データのデータパターンのうち、第１データパターンと異なる第２データパターンでは前記複数のスキャン電極のスキャン順序を前記第１データパターンである場合と異なるようにして前記スキャン電極にスキャンパルスを供給するステップと、前記データ電極に、一つの前記スキャンパルスに対応し、前記スキャンパルスの印加時点と異なる時点を有する少なくとも一つのデータパルスを供給するステップと、を含む。
【発明の効果】
【００３５】
本発明のプラズマディスプレイ装置及びその駆動方法は、過度な変位電流が発生することを防止し、これによってデータドライバ集積回路の電気的劣化を防止する効果がある。
【００３６】
また、本発明は、アドレス期間においてデータ電極に印加されるデータパルスの印加時点を調節してスキャン電極及びサステイン電極に印加される波形のノイズを減少させてアドレス放電を安定させることによって、 パネルの駆動を安定させて駆動の安全性の低下を抑制する効果がある。
【発明を実施するための最良の形態】
【００３７】
以下、添付の図面を参照しつつ本発明のプラズマディスプレイ装置及びその駆動方法を詳細に説明する。
【００３８】
図２は、本発明のプラズマディスプレイ装置を説明するための図である。
【００３９】
図２を考察すると、本発明のプラズマディスプレイ装置は、プラズマディスプレイパネル２００、データ駆動部２０１、スキャン駆動部２０２、サステイン駆動部２０３、サブフィールドマッピング部２０４及びデータ整列部２０５を含む。
【００４０】
ここで、前述したプラズマディスプレイパネル２００は、前面パネル（図示していない）と後面パネル（図示していない）が一定の間隔を置いて合着され、多数の電極、例えば、スキャン電極（Ｙ）とこのようなスキャン電極（Ｙ）と並んでいる方向に形成されるサステイン電極（Ｚ）が各々形成され、また、このようなスキャン電極（Ｙ）及びサステイン電極（Ｚ）と交差するようにデータ電極（Ｘ）が形成される。
【００４１】
スキャン駆動部２０２は、リセット期間の間に、立ち上りランプ波形（Ramp-up）と立ち下りランプ波形（Ramp-down）とをスキャン電極（Ｙ）に供給する。また、スキャン駆動部２０２は、サステイン期間の間には、サステインパルス（ＳＵＳ）をスキャン電極（Ｙ）に供給する。特に、スキャン駆動部２０２は、アドレス期間で前述した複数のスキャン電極（Ｙ）にスキャンパルスを供給する順序が互いに異なる複数個のスキャンパルス供給順序のうち、一つのスキャンパルス供給順序でスキャン電極（Ｙ）をスキャニングする。即ち、複数のスキャンパルス供給順序のうち、一つのスキャンパルス供給順序に合せて、アドレス期間の間に、負極性スキャン電圧（−Ｖｙ）のスキャンパルス（Ｓｐ）をスキャン電極（Ｙ）に供給する。
【００４２】
サステイン駆動部２０３は、サステイン期間の間に、スキャン駆動部２０２と交互に動作して、サステインパルス（ＳＵＳ）をサステイン電極（Ｚ）に供給し、アドレス期間及びセットダウン期間では所定のバイアス電圧（Ｖｚｂ）をサステイン電極（Ｚ）に供給する。
【００４３】
サブフィールドマッピング部２０４は、外部から、例えばハーフトーン（Half Tone）補正部から供給される映像データをサブフィールドマッピングして出力する。
【００４４】
データ整列部２０５は、前述したサブフィールドマッピング部２０４がサブフィールドマッピングしたデータをプラズマディスプレイパネル２００の各々のデータ電極（Ｘ）に対応するように再配列する。
【００４５】
データ駆動部２０１は、図示していないタイミングコントローラ（Timing Controller）の制御によって、前述したデータ整列部２０５が再配列したデータをサンプリングしラッチ（Ｌatch）した後、そのデータをデータ電極（Ｘ）に供給する。特に、データ駆動部２０１は、前述したスキャン駆動部２０２がスキャン電極（Ｙ）をスキャニングするスキャンパルス供給順序に対応してデータ電極（Ｘ）にデータを供給する。データ駆動部２０１は、一つのスキャンパルス供給順序に対応してデータ電極にデータを供給するものの、複数のデータ電極のうち、一つ以上のデータ電極にはスキャン駆動部２０２によりスキャン電極に印加されるスキャンパルスの印加時点と異なる時点でデータパルスを供給する。
【００４６】
このような本発明のプラズマディスプレイ装置の各々の構成要素の機能、動作及び特徴は、以後の本発明のプラズマディスプレイ装置の駆動方法の説明を通じてより明確になるはずである。
【００４７】
ここで、本発明のプラズマディスプレイ装置の構成要素の中の一つのプラズマディスプレイパネル２００の一例について、添付の図３Ａ乃至図３Ｂを参照しつつより詳細に考察すると次の通りである。
【００４８】
図３Ａ乃至図３Ｂは、本発明に係るプラズマディスプレイパネルの構造の一例を説明するための図である。
【００４９】
まず、図３Ａを考察すると、プラズマディスプレイパネル２００は、画像がディスプレイされる表示面である前面基板３０１にスキャン電極（Ｙ）３０２とサステイン電極（Ｚ）３０３が対をなして形成された複数の維持電極が配列された前面パネル３００、及び、背面をなす後面基板３１１上に前述した複数の維持電極と交差するように複数のデータ電極（Ｘ）３１３が配列された後面パネル３１０が一定距離を置いて平行に結合される。
【００５０】
前面パネル３００は、一つの放電セルで相互放電させ、放電セルの発光を維持するためのスキャン電極（Ｙ）３０２及びサステイン電極（Ｚ）３０３、即ち透明なＩＴＯ物質で形成された透明電極（ａ）と金属材質で製作されたバス電極（ｂ）で備えられたスキャン電極（Ｙ）３０２及びサステイン電極（Ｚ）３０３が対をなして含まれる。スキャン電極（Ｙ）３０２及びサステイン電極（Ｚ）３０３は、放電電流を制限し、電極対間を絶縁させる一つ以上の上部誘電体層３０４により覆われ、上部誘電体層３０４の上面には放電条件を容易にするために酸化マグネシウム（ＭｇＯ）を蒸着した保護層３０５が形成される。
【００５１】
後面パネル３１０は、複数個の放電空間、即ち、放電セルを形成させるためのストライプタイプ（または、ウェルタイプ）の隔壁３１２が平行を維持して配列される。また、アドレス放電を遂行して真空紫外線を発生させる多数のデータ電極（Ｘ）３１３が隔壁３１２に対して平行に配置される。後面パネル３１０の上側面には、アドレス放電の際、画像表示のための可視光線を放出するＲ、Ｇ、Ｂ蛍光体３１４が塗布される。データ電極（Ｘ）３１３と蛍光体３１４との間にはデータ電極（Ｘ）３１３を保護するための下部誘電体層３１５が形成される。
【００５２】
図３Ａでは、本発明のプラズマディスプレイ装置の駆動要素の中の一つのプラズマディスプレイパネル構造の一例のみを図示及び説明したものであって、本発明がこの図３Ａの構造に限るのではないことを明らかにする。例えば、図３Ａでは、前面パネル３００にスキャン電極（Ｙ）３０２とサステイン電極（Ｚ）３０３が形成され、後面パネル３１０にデータ電極（Ｘ）３１３が形成されることだけを図示しているが、これとは異なり、前面パネル３００にスキャン電極（Ｙ）３０２、サステイン電極（Ｚ）３０３及びデータ電極（Ｘ）３１３が全て形成されることもできる。
【００５３】
または、前述したスキャン電極（Ｙ）３０２とサステイン電極（Ｚ）３０３は、各々透明電極（ａ）とバス電極（ｂ）からなることだけを図示しているが、これとは異なり、スキャン電極（Ｙ）３０２とサステイン 電極（Ｚ）３０３中の一つ以上はバス電極（ｂ）だけでなされることも可能である。
【００５４】
図３Ａのような構造のプラズマディスプレイパネルにおいて、電極等の配列構造が図３Ｂに表れている。
【００５５】
図３Ｂを考察すると、プラズマディスプレイパネル３００においてスキャン電極（Ｙ）とサステイン電極（Ｚ）は互いに並んでいるように形成されており、データ電極（Ｘ）はこのようなスキャン電極（Ｙ）とサステイン電極（Ｚ）に交差するように形成されている。このような電極に駆動部が連結されるものである。
【００５６】
このようなプラズマディスプレイパネルを含む本発明のプラズマディスプレイ装置は、複数のサブフィールドに分割されたフレームで多様な映像の階調を具現することになる。このような本発明のプラズマディスプレイ装置における階調具現方法を添付の図４を参照して考察すると次の通りである。
【００５７】
図４は、本発明のプラズマディスプレイ装置において映像の階調を具現する方法を示す図である。
【００５８】
図４を考察すると、本発明のプラズマディスプレイ装置における映像の階調（Gray Level）具現方法は、１フレームを発光回数が異なる種々のサブフィールドに分けて、各サブフィールドはまた全ての放電セルを初期化させるためのリセット期間（ＲＰＤ）、放電される放電セルを選択するためのアドレス期間（ＡＰＤ）及び放電回数によって階調を具現するサステイン期間（ＳＰＤ）に分けて設定することによって実行される。
【００５９】
例えば、２５６階調に映像を表示しようとする場合に、１／６０秒に該当するフレーム期間（１６.６７ｍｓ）は８個のサブフィールド（ＳＦ１乃至ＳＦ８）に分けられる。８個のサブフィールド（ＳＦ１乃至ＳＦ８）の各々は、リセット期間、アドレス期間及びサステイン期間にまた分けられることになる。
【００６０】
サステイン期間は、各サブフィールドでの階調加重値を決定する期間である。例えば、第１サブフィールドの階調加重値を２０に設定し、第２サブフィールドの階調加重値を２１に設定する方法で各サブフィールドの階調加重値が２ｎ（但し、ｎ=０、１、２、３、４、５、６、７）の割合で増加するように、各サブフィールドの階調加重値を決定することができる。このように、各サブフィールドにおいてサステイン期間での階調加重値によって各サブフィールドのサステイン期間で供給されるサステインパルスの個数を調節することによって、多様な映像の階調を具現することになる。
【００６１】
図４では、一つのフレームが８個のサブフィールドからなる場合だけで図示及び説明したが、これとは異なり、一つのフレームをなすサブフィールドの個数は多様に変更されることができる。例えば、第１サブフィールドから第１２サブフィールドまでの１２個のサブフィールドで一つのフレームを構成することもでき、１０個のサブフィールドで一つのフレームを構成することもできる。
【００６２】
また、図４では、一つのフレームで階調加重値の大きさが増加する順序によってサブフィールドが配列されたが、これとは異なり、一つのフレームでサブフィールドが階調加重値が減少する順序によって配列されることもでき、または、階調加重値に関わらずサブフィールドが配列されることもできる。
【００６３】
図５は、本発明のプラズマディスプレイ装置の駆動方法を説明するための図である。
【００６４】
まず、図５を考察すると、本発明のプラズマディスプレイ装置の駆動方法は、少なくともいずれか一つのサブフィールドのアドレス期間で、複数のデータ電極のうち、一つ以上のデータ電極にはスキャン電極（Ｙ）に印加されるスキャンパルスの印加時点と異なる時点でデータパルスを印加する。また、図５には図示されていないが、本発明のプラズマディスプレイ装置の駆動方法は、アドレス期間で複数のスキャン電極（Ｙ）にスキャンパルスを供給する順序が互いに異なる複数個のスキャンパルス供給順序のうち、一つのスキャンパルス供給順序でスキャン電極（Ｙ）をスキャニングすることも含むが、これは図１２以後でより詳細に説明する。
【００６５】
リセット期間において、セットアップ期間にはスキャン電極（Ｙ）に立ち上りランプ波形（Ramp-up）が印加される。この立ち上りランプ波形により全画面の放電セル内には弱い暗放電（Dark Discharge）が起こる。このセットアップ放電によりデータ電極（Ｘ）とサステイン電極（Ｚ）上には正極性壁電荷が積まれることになり、スキャン電極（Ｙ）上には負極性の壁電荷が積まれることになる。
【００６６】
セットダウン期間には、スキャン電極（Ｙ）に立ち上りランプ波形が供給された後、立ち上りランプ波形のピーク電圧より低い正極性電圧から落ち始めてグラウンド（ＧＮＤ）レベル電圧の以下の特定の電圧レベルまで落ちる立ち下りランプ波形（Ramp-down）が放電セル内に微弱な消去放電を起こすことによって、放電セル内に過度に形成された壁電荷を十分消去させることになる。このセットダウン放電によりデータ放電が安定に起こることができる程度の壁電荷が放電セル内に均一に残留する。
【００６７】
アドレス期間には、スキャン基準電圧（Ｖｓｃ）から立ち下る負極性スキャンパルスがスキャン電極（Ｙ）に印加されると共に、スキャンパルスに対応してデータ電極（Ｘ）に正極性のデータパルスが印加される。この際、このようなスキャン電極（Ｙ）に印加されるスキャンパルスの印加時点と異なる時点でデータ電極（Ｘ）にデータパルスが印加されるものである。このように、アドレス期間でスキャンパルスの印加時点とデータパルスの印加時点を異なるようにすることに対しては、図６以後の説明を通じてより明確にするようにする。
【００６８】
このようなスキャンパルスとデータパルスの電圧差と、リセット期間に生成された壁電圧とが加わりながら、データパルスが印加される放電セル内には、アドレス放電が発生する。アドレス放電により選択された放電セル内にはサステイン電圧（Ｖｓ）が印加される際、放電が起こることができるようにする程度の壁電荷が形成される。
【００６９】
サステイン期間には、スキャン電極（Ｙ）とサステイン電極（Ｚ）のうち、一つ以上に交互にサステインパルス（ＳＵＳ）が印加される。アドレス放電により選択された放電セルは、放電セル内の壁電圧とサステインパルスの電圧とが加わりながら、毎サステインパルスが印加される度にスキャン電極（Ｙ）とサステイン電極（Ｚ）との間にサステイン放電、即ち、表示放電が起こることになる。
【００７０】
これに加えて、サステイン放電が完了した後、消去期間では、パルス幅と電圧レベルが小さな消去ランプ波形（Ramp-ers）の電圧がサステイン電極（Ｚ）に供給されて全画面の放電セル内に残留する壁電荷を消去させることができる。
【００７１】
図６Ａ乃至図６Ｅは、本発明のプラズマディスプレイ装置の駆動方法において各々のデータ電極にスキャンパルスの印加時点と互いに異なる時点でデータパルスを印加する方法の一例を説明するための図である。
【００７２】
図６Ａ乃至図６Ｅを考察すると、本発明の駆動方法では、スキャンパルスとデータパルスの印加時点を異なるようにするが、好ましくは、１サブフィールドのアドレス期間でデータ電極（Ｘ）に印加されるデータパルスの印加時点をスキャン電極（Ｙ）に印加されるスキャンパルスの印加時点と各々互いに異なるようにする。 
【００７３】
図６Ａに示すように、本発明の駆動方法はスキャン電極（Ｙ）に印加されるスキャンパルスの印加時点をｔｓと仮定する際、データ電極（Ｘ１〜Ｘｎ）の配置順序に合せてデータ電極Ｘ１にはスキャン電極（Ｙ）にスキャンパルスが印加される時点より（ｎ／２）Δｔだけ先立った時点、即ち、時点ｔｓ−（ｎ／２）Δｔでデータパルスが印加される。また、データ電極Ｘ２にはスキャン電極（Ｙ）にスキャンパルスが印加される時点よりΔｔだけ先立った時点、即ち、時点ｔｓ−（ｎ／２−１）Δｔでデータパルスが印加される。このような方法で、Ｘ（ｎ−１）電極には時点ｔｓ＋（ｎ／２−１）Δｔでデータパルスが印加され、Ｘｎ電極には時点ｔｓ＋（ｎ／２）Δｔでデータパルスが印加される。即ち、図６Ａのように、データ電極（Ｘ１〜Ｘｎ）に印加されるデータパルスは、スキャン電極（Ｙ）に印加されるスキャンパルスの印加時点の以前または以後に印加される。
【００７４】
図６Ｂに示すように、本発明の駆動方法に係る駆動波形は、スキャン電極（Ｙ）に印加されるスキャンパルスの印加時点をｔｓと仮定する際、データ電極（Ｘ１〜Ｘｎ）の配置順序に合せてデータ電極Ｘ１にはスキャン電極（Ｙ）にスキャンパルスが印加される時点よりΔｔだけ遅い時点、即ち、時点ｔｓ＋Δｔでデータパルスが印加される。また、データ電極Ｘ２にはスキャン電極（Ｙ）にスキャンパルスが印加される時点より２Δｔだけ遅い時点、即ち、時点ｔｓ＋２Δｔでデータパルスが印加される。このような方法で、Ｘ３電極には時点ｔｓ＋３Δｔでデータパルスが印加され、Ｘｎ電極には時点ｔｓ＋ｎΔｔでデータパルスが印加される。即ち、図６Ｂのように、データ電極（Ｘ１〜Ｘｎ）に印加されるデータパルスはスキャン電極（Ｙ）に印加されるスキャンパルスの印加時点の以後に印加される。 
【００７５】
このような図６Ｂの駆動波形での放電が発生する領域Ａを図６Ｃを参考にして説明すれば、例えばアドレス放電開始電圧（Firing Voltage）が１７０Ｖであり、スキャンパルスの電圧は１００Ｖであり、データパルスの電圧は７０Ｖであると仮定する際、Ａ領域ではまずスキャン電極（Ｙ）に印加されるスキャンパルスによりスキャン電極（Ｙ）とデータ電極Ｘ１との間の電圧差が１００Ｖとなり、前述したスキャンパルスの印加の以後Δｔだけの時間が流れた後にデータ電極Ｘ１に印加されるデータパルスによりスキャン電極（Ｙ）とデータ電極Ｘ１との間の電圧差が１７０Ｖに立ち上る。これによって、スキャン電極（Ｙ）とデータ電極Ｘ１との間の電圧差がアドレス放電開始電圧となって、スキャン電極（Ｙ）とデータ電極Ｘ１との間にアドレス放電が発生する。
【００７６】
図６Ｄに示すように、本発明の駆動方法による駆動波形はスキャン電極（Ｙ）に印加されるスキャンパルスの印加時点をｔｓと仮定する際、データ電極（Ｘ１〜Ｘｎ）の配置順序に合せてデータ電極Ｘ１にはスキャン電極（Ｙ）にスキャンパルスが印加される時点よりΔｔだけ先立った時点、即ち、時点ｔｓ−Δｔでデータパルスが印加される。また、データ電極Ｘ２にはスキャン電極（Ｙ）にスキャンパルスが印加される時点より２Δｔだけ先立った時点、即ち、時点ｔｓ−２Δｔでデータパルスが印加される。このような方法で、Ｘ３電極は時点ｔｓ−３Δｔでデータパルスが印加され、Ｘｎ電極には時点ｔｓ−ｎΔｔでデータパルスが印加される。即ち、図６Ｄのように、データ電極（Ｘ１〜Ｘｎ）に印加されるデータパルスはスキャン電極（Ｙ）に印加されるスキャンパルスの印加時点の以前に印加される。 
【００７７】
このような図６Ｄの駆動波形での放電が発生する領域Ｂを図６Ｅを参考にして説明すれば、例えばアドレス放電開始電圧が図６Ｃでのように１７０Ｖであり、スキャンパルスの電圧は１００Ｖであり、データパルスの電圧は７０Ｖと仮定する際、Ｂ領域ではまずデータ電極Ｘ１に印加されるデータパルスによりスキャン電極（Ｙ）とデータ電極Ｘ１との間の電圧差が７０Ｖとなり、前述したデータパルスの印加の以後Δｔだけの時間が経過した後に、スキャン電極（Ｙ）に印加されるスキャンパルスによりスキャン電極（Ｙ）とデータ電極（Ｘ１〜Ｘｎ）との間の電圧差が１７０Ｖに立ち上る。これによって、スキャン電極（Ｙ）とデータ電極Ｘ１との間の電圧差がアドレス放電開始電圧になってスキャン電極（Ｙ）とデータ電極Ｘ１との間にアドレス放電が発生する。
【００７８】
ここで、図６Ａ乃至図６Ｅでは、スキャン電極（Ｙ）に印加されるスキャンパルスの印加時点とデータ電極（Ｘ１〜Ｘｎ）に印加されるデータパルスの印加時点との間の時間差、または、データ電極（Ｘ１〜Ｘｎ）に印加されるデータパルス間の印加時点の差をΔｔの概念で説明した。 
【００７９】
Δｔについて考察すると、例えばスキャン電極（Ｙ）に印加されるスキャンパルスの印加時点をｔｓとし、スキャンパルスの印加時点ｔｓと最も近接したデータパルス間の印加時点間の時間差をΔｔとし、スキャンパルスの印加時点ｔｓとその次の近接したデータパルス間の印加時点の差を２倍のΔｔ、即ち２Δｔとする。このようなΔｔは一定に維持される。即ち、スキャン電極（Ｙ）に印加されるスキャンパルスの印加時点とデータ電極（Ｘ１〜Ｘｎ）に印加されるデータパルスの印加時点を各々互いに異なるようにしながら各々のデータ電極（Ｘ１〜Ｘｎ）に印加されるデータパルス間の印加時点間の差は各々互いに同一である。ここでは、一つのサブフィールド内で各々のデータ電極（Ｘ１〜Ｘｎ）に印加されるデータパルス間の印加時点間の差は各々互いに同一にしながらスキャンパルスの印加時点とスキャンパルスの印加時点と最も近接したデータパルスの印加時点間の差を同一にすることもでき、また、互いに異なるようにすることもできる。 
【００８０】
例えば、一つのサブフィールドで各々のデータ電極（Ｘ１〜Ｘｎ）に印加されるデータパルス間の印加時点間の差は各々互いに同一にしながらいずれか一つのアドレス期間ではスキャンパルスの印加時点ｔｓと最も近接したデータパルス間の印加時点間の時間差をΔｔとすれば、同一なサブフィールドにおいて他のアドレス期間ではスキャンパルスの印加時点ｔｓと最も近接したデータパルス間の印加時点間の時間差を２Δｔとする。
【００８１】
ここで、スキャンパルスの印加時点ｔｓと最も近接したデータパルス間の印加時点間の時間差は限定されたアドレス期間の時間を考慮する際、１０ｎｓ以上で１０００ｎｓ以下に設定されることが好ましい。また、プラズマディスプレイパネルの駆動に係るいずれか一つのスキャンパルス幅の観点で考慮すればΔｔは所定のスキャンパルス幅の１／１００倍以上１倍以下の範囲内で設定されることが好ましい。例えば、一つのスキャンパルスの幅が１μｓと仮定する際、前述のように印加時点間の時間差は１μｓの１／１００倍、即ち１０ｎｓ以上１μｓの１倍、即ち１０００ｎｓ以下の範囲を有する。
【００８２】
また、このようにスキャンパルスの印加時点とデータパルスの印加時点を互いに異なるようにしながら、データパルス間の印加時点間の時間差を各々異なるようにすることもできる。即ち、データ電極（Ｘ１〜Ｘｎ）に印加されるデータパルスの印加時点をスキャン電極（Ｙ）に印加されるスキャンパルスの印加時点と異なるようにしながら、データ電極（Ｘ１〜Ｘｎ）に印加されるデータパルス間の印加時点を各々互いに異なるように設定する。 
【００８３】
例えば、スキャン電極（Ｙ）に印加されるスキャンパルスの印加時点をｔｓとし、スキャンパルスの印加時点ｔｓと最も近接したデータパルス間の印加時点間の時間差をΔｔとすれば、スキャンパルスの印加時点ｔｓとその次の近接したデータパルス間の印加時点の差を３Δｔとすることもできる。例えば、スキャン電極（Ｙ）にスキャンパルスが印加される時点が０ｎｓとすれば、データ電極Ｘ１に１０ｎｓの時点でデータパルスが印加される。これによって、スキャン電極（Ｙ）に印加されるスキャンパルスの印加時点とデータ電極Ｘ１に印加されるデータパルスの印加時点間の時間差は１０ｎｓである。そして、その次のデータ電極であるＸ２には２０ｎｓの時点でデータパルスが印加されて、前述したスキャン電極（Ｙ）に印加されるスキャンパルスの印加時点とデータ電極Ｘ２に印加されるデータパルスの印加時点間の時間差は２０ｎｓであり、これによって、データ電極Ｘ１に印加されるデータパルスの印加時点とデータ電極Ｘ２に印加されるデータパルスの印加時点間の時間差は１０ｎｓである。そして、その次のデータ電極であるＸ３には４０ｎｓの時点でデータパルスが印加されて前述したスキャン電極（Ｙ）に印加されるスキャンパルスの印加時点とデータ電極Ｘ３に印加されるデータパルスの印加時点間の時間差は４０ ｎｓであり、これによって、データ電極Ｘ２に印加されるデータパルスの印加時点とデータ電極Ｘ３に印加されるデータパルスの印加時点間の時間差は２０ｎｓである。即ち、スキャン電極（Ｙ）に印加されるスキャンパルスの印加時点とデータ電極（Ｘ１〜Ｘｎ）に印加されるデータパルスの印加時点を互いに異なるようにしながら各々のデータ電極（Ｘ１〜Ｘｎ）に印加されるデータパルス間の印加時点間の差を各々互いに異なるように設定することもできる。
【００８４】
ここで、各スキャン電極（Ｙ）に印加されるスキャンパルスの印加時点とデータ電極（Ｘ１〜Ｘｎ）に印加されるデータパルスの印加時点間の時間差Δｔは１０ｎｓ以上で１０００ｎｓ以下に設定されることが好ましい。また、プラズマディスプレイパネルの駆動による所定のスキャンパルス幅の観点で考慮すればΔｔは所定のスキャンパルス幅の１／１００倍以上１倍以下の範囲内で設定されることが好ましい。
【００８５】
このように、アドレス期間でスキャン電極（Ｙ）に印加されるスキャンパルスの印加時点とデータ電極（Ｘ１〜Ｘｎ）に印加されるデータパルスの印加時点を相異なっているようにすれば、データ電極（Ｘ１〜Ｘｎ）に印加されるデータパルスの各印加時点でパネルの静電容量を通じたカップリングを減少させてスキャン電極及びサステイン電極に印加される波形のノイズを減少させる。
【００８６】
図７Ａ及び図７Ｂは、本発明の駆動方法に係る駆動波形により減少するノイズを説明するための図である。
【００８７】
まず、図７Ａを考察すると、本発明とは異なり、アドレス期間でスキャン電極（Ｙ）に印加されるスキャンパルスとデータ電極（Ｘ）に印加されるデータパルスの印加時点が同一な場合が表れている。
【００８８】
即ち、図７Ａ（ａ）に示すように、アドレス期間でスキャン電極（Ｙ）に印加されるスキャンパルスとデータ電極（Ｘ）に印加されるデータパルスの印加時点がｔｓと同一に設定されれば、図７Ａ（ｂ）でのようにスキャン電極（Ｙ）に印加される波形とサステイン電極（Ｚ）に印加される波形に相対的に大きいノイズ（Noise）が発生することになる。このようなノイズはパネルの静電容量（Capacitance）を通じたカップリング（Coupling）により発生するものであって、データパルスが急に立ち上る時点ではスキャン電極（Ｙ）とサステイン電極（Ｚ）に印加される波形に立ち上りノイズが発生し、データパルスが急に立ち下る時点ではスキャン電極（Ｙ）とサステイン電極（Ｚ）に印加される波形に立ち下りノイズが発生する。
【００８９】
このように、スキャン電極（Ｙ）に印加されるスキャンパルスと同時にデータ電極（Ｘ）に印加されるデータパルスにより、スキャン電極（Ｙ）とサステイン電極（Ｚ）に印加される波形に発生するノイズは、アドレス期間で発生するアドレス放電を不安定にしてプラズマディスプレイパネルの駆動効率を低減させる問題がある。
【００９０】
次に、図７Ｂを考察すると、本発明のプラズマディスプレイ装置の駆動方法によりデータパルスとスキャンパルスの印加時点が異なる場合が表れている。
【００９１】
即ち、図７Ｂ（ａ）のように、データ電極（Ｘ）にはスキャン電極（Ｙ）に印加されるスキャンパルスの印加時点と同一な時点でデータパルスを印加せず、データ電極（Ｘ）にスキャンパルスの印加時点と各々異なる時点でデータパルスを印加すれば、図７Ｂ（ｂ）のように、前述した図７Ａ（ｂ）の場合に比べて発生するノイズの大きさが低減する。
【００９２】
これは、データパルスがデータ電極（Ｘ）に印加される時点でパネルの静電容量（Capacitance）を通じたカップリング（Coupling）を減少させることによって、データパルスが急に立ち上る時点ではスキャン電極とサステイン電極に印加される波形に発生する立ち上りノイズを減少させ、データパルスが急に立ち下る時点ではスキャン電極とサステイン電極に印加される波形に発生する立ち下りノイズを減少させるためである。これによって、アドレス期間で起こるアドレス放電を安定にしてプラズマディスプレイパネルの駆動安全性の低下を抑制する。
【００９３】
結局、プラズマディスプレイパネルのアドレス放電を安定させることによって、一つの駆動部にパネル全体をスキャニング（Scanning）するシングルスキャン（Single Scan）方式を適用可能にする。ここで、シングルスキャン方式とは、１つのスキャン駆動部によって各スキャン電極を１つずつ走査する方式であり、前面基板の表示領域上に形成された多数のスキャン電極に印加されるスキャン波形の印加時点が多数のスキャン電極の各々で相異するように駆動される駆動方式をいう。
【００９４】
図８は、本発明のプラズマディスプレイ装置の駆動方法を説明するためにデータ電極（Ｘ１〜Ｘｎ）を４個のデータ電極群に分けたものを説明するための図である。
【００９５】
図８を考察すると、複数のデータ電極（Ｘ）を一つ以上のデータ電極を含むデータ電極群に分けて駆動する本発明の駆動方法は、図８に示すように、プラズマディスプレイパネル９００のデータ電極（Ｘ１〜Ｘｎ）を、例えば、Ｘａ電極群（Ｘａ１〜Ｘａ（ｎ）／４）９０１、Ｘｂ電極群（Ｘｂ（（ｎ／４）＋１）〜Ｘｂ（２ｎ）／４）９０２、Ｘｃ電極群（Ｘｃ（（２ｎ／４）＋１）〜Ｘｃ（３ｎ）／４）９０３及びＸｄ電極群（Ｘｄ（（３ｎ／４）＋１）〜Ｘｄ（ｎ））９０４に区分し、このように区分した各データ電極群のうち、少なくともいずれか一つのデータ電極群にはスキャン電極（Ｙ）に印加されるスキャンパルスの印加時点と相異する時点でデータパルスを印加する。即ち、Ｘａ電極群９０１に属した電極（Ｘａ１〜Ｘａ（ｎ）／４）の全てには、スキャン電極（Ｙ）に印加されるスキャンパルスの印加時点と互いに異なる時点でデータパルスを印加するものの、前述したＸａ電極群９０１に属した電極（Ｘａ１〜Ｘａ（ｎ）／４）に印加されるデータパルスの印加時点は全て同一にする。また、残りの他の電極群９０２、９０３、９０４に属した電極にはＸａ電極群９０１に属した電極（Ｘａ１〜Ｘａ（ｎ）／４）のデータパルスの印加時点と異なる時点でデータパルスを印加し、この時の他のデータ電極群９０２、９０３、９０４に属した電極に印加されるデータパルスの印加時点はスキャン電極（Ｙ）に印加されるスキャンパルスの印加時点と同一または相異することができる。各データ電極群に印加するデータパルスの印加時点は、各データ電極群同士で互いに異なるように且つスキャンパルスの印加時点と異なるようにすることができる。また、各データ電極群に印加するデータパルスの印加時点は各データ電極群同士で互いに異なるように、且つ、何れかのデータ電極群のデータパルスの印加時点はスキャンパルスの印加時点と同一になるようにすることも可能である。
【００９６】
一方、図８では、各データ電極群９０１、９０２、９０３、９０４のそれぞれに含まれたデータ電極の個数を同一にしたが、各データ電極群９０１、９０２、９０３、９０４に含まれるデータ電極の個数を互いに相異するように設定することも可能である。そして、データ電極群の個数も調節可能である。また、このようなデータ電極群の個数は、最小２つ以上から最大データ電極の総個数より小さな範囲、即ち２≦Ｎ≦（ｎ−１）個の間で設定されることができる。
【００９７】
図９Ａ乃至図９Ｃは、本発明のプラズマディスプレイ装置の駆動方法においてデータ電極（Ｘ１〜Ｘｎ）を複数の電極群に分けて、各々の電極群にスキャンパルスの印加時点と互いに異なる時点でデータパルスを印加する一例を示す図である。
【００９８】
図９Ａ乃至図９Ｃに示すように、本発明の駆動波形は、複数のデータ電極（Ｘ１〜Ｘｎ）を図８の場合のように、複数のデータ電極群（Ｘａ電極群、Ｘｂ電極群、ＸＣ電極群及びＸｄ電極群）に分けて、サブフィールドのアドレス期間で複数のデータ電極群のうち、少なくとも一つ以上のデータ電極群のデータ電極（Ｘ１〜Ｘｎ）に印加されるデータパルスの印加時点はスキャン電極（Ｙ）に印加されるスキャンパルスの印加時点と互いに異なる。このように、スキャン電極（Ｙ）に印加されるスキャンパルスの印加時点とデータ電極（Ｘ１〜Ｘｎ）に印加されるデータパルスの印加時点が異なるようにすることによって、アドレス放電が不安定になることを防止して駆動安全性の低下を抑制する。これによって、駆動効率を高める。
【００９９】
例えば、図９Ａに示すように、スキャン電極（Ｙ）に印加されるスキャンパルスの印加時点をｔｓと仮定する際、データ電極（Ｘ１〜Ｘｎ）を含むデータ電極群の配置順序に合せてＸａ電極群に含まれたデータ電極（（Ｘａ１〜Ｘａ（ｎ）／４）には、スキャン電極（Ｙ）にスキャンパルスが印加される時点より２Δｔだけ先立った時点、即ち、時点ｔｓ−２Δｔでデータパルスが印加される。また、Ｘｂ電極群に含まれたデータ電極（Ｘｂ（（ｎ／４）＋１）〜Ｘｂ（２ｎ）／４）には、スキャン電極（Ｙ）にスキャンパルスが印加される時点よりΔｔだけ先立った時点、即ち、時点ｔｓ−Δｔでデータパルスが印加される。このような方法によりＸｃ電極群に含まれたデータ電極（Ｘｃ（（２ｎ／４）＋１）〜Ｘｃ（３ｎ）／４）には、時点ｔｓ＋Δｔでデータパルスが印加され、Ｘｄ電極群に含まれたデータ電極（Ｘｄ（（３ ｎ／４）＋１）〜Ｘｄ（ｎ））には時点ｔｓ＋２Δｔでデータパルスが印加される。即ち、図９Ａのように、データ電極（Ｘ１〜Ｘｎ）を含む各々のＸａ、Ｘｂ、Ｘｃ、Ｘｄ電極群に印加される データパルスはスキャン電極（Ｙ）に印加されるスキャンパルスの印加時点の以前または以後に印加される。 
【０１００】
図９Ｂに示すように、本発明の駆動方法に係る駆動波形は、スキャン電極（Ｙ）に印加されるスキャンパルスの印加時点をｔｓと仮定する際、データ電極（Ｘ１〜Ｘｎ）を含むデータ電極群の配置順序に合せてＸａ電極群に含まれたデータ電極には、スキャン電極（Ｙ）にスキャンパルスが印加される時点よりΔｔだけ遅い時点、即ち、時点ｔｓ＋Δｔでデータパルスが印加される。また、Ｘｂ電極群に含まれたデータ電極には、スキャン電極（Ｙ）にスキャンパルスが印加される時点より２Δｔだけ遅い時点、即ち、時点ｔｓ＋２Δｔでデータパルスが印加される。このような方法により、Ｘｃ電極群に含まれたデータ電極には時点ｔｓ＋３Δｔでデータパルスが印加され、Ｘｄ電極には時点ｔｓ＋４Δｔでデータパルスが印加される。即ち、図９Ｂのように、データ電極（Ｘ１〜Ｘｎ）を含むデータ電極群に印加されるデータパルスは、スキャン電極（Ｙ）に印加されるスキャンパルスの印加時点の以後に印加される。
【０１０１】
図９Ｃに示すように、本発明の駆動方法に係る駆動波形は、スキャン電極（Ｙ）に印加されるスキャンパルスの印加時点をｔｓと仮定する際、データ電極（Ｘ１〜Ｘｎ）を含むデータ電極群の配置順序に合せてＸａ電極群に含まれたデータ電極には、スキャン電極（Ｙ）にスキャンパルスが印加される時点よりΔｔだけ先立った時点、即ち、時点ｔｓ−Δｔでデータパルスが印加される。また、Ｘｂ電極群に含まれたデータ電極には、スキャン電極（Ｙ）にスキャンパルスが印加される時点より２Δｔだけ先立った時点、即ち、時点ｔｓ−２Δｔでデータパルスが印加される。このような方法により、Ｘｃ電極群に含まれたデータ電極には時点ｔｓ−３Δｔでデータパルスが印加され、Ｘｄ電極群に含まれたデータ電極には時点ｔｓ−４Δｔでデータパルスが印加される。即ち、図９ｃのように、データ電極（Ｘ１〜Ｘｎ）を含む電極群に印加されるデータパルスはスキャン電極（Ｙ）に印加されるスキャンパルスの印加時点の以前に印加される。
【０１０２】
ここで、図９Ａ乃至図９Ｃでも、前述のように、データ電極群間の印加時点差を同一または相異なっているようにすることができる。 
【０１０３】
図１０は、本発明のプラズマディスプレイ装置の駆動方法において、フレーム内で各サブフィールドによってスキャンパルスの印加時点とデータパルスの印加時点を互いに異なるようにする一例を示す図である。
【０１０４】
図１０を考察すると、本発明のプラズマディスプレイ装置の駆動方法に係る駆動波形は、同一なサブフィールドではデータ電極（Ｘ）に印加されるデータパルスの印加時点間の時間差は全て同一であり、また、スキャン電極（Ｙ）に印加されるスキャンパルスの印加時点とデータ電極（Ｘ）に印加されるデータパルスの印加時点は互いに異なり、１フレーム内のサブフィールドのうち、少なくともいずれか一つのサブフィールドではアドレス期間でデータ電極（Ｘ）に印加されるデータパルス間の印加時点間の時間差は他のサブフィールドでの前記アドレス期間でデータ電極に印加されるデータパルス間の印加時点間の時間差と互いに異なる。
【０１０５】
ここで、データパルスとスキャンパルスの印加時点を異にする方法の例を挙げれば、一つのフレームにおいて第１サブフィールドではデータ電極（Ｘ１〜Ｘｎ）に印加されるデータパルスの印加時点をスキャン電極（Ｙ）に印加されるスキャンパルスの印加時点と互いに異なるようにしながら、データ電極に印加されるデータパルス間の印加時点間の時間差はΔｔに設定する。また、第２サブフィールドでは第１サブフィールドと同様にデータ電極（Ｘ１〜Ｘｎ）に印加されるデータパルスの印加時点をスキャン電極（Ｙ）に印加されるスキャンパルスの印加時点と互いに異なるようにしながら、データ電極に印加されるデータパルス間の印加時点間の時間差は２Δｔに設定する。このような方法によりデータ電極に印加されるデータパルス間の印加時点間の時間差を３Δｔ、４Δｔなどで、一つのフレームに含まれた各々のサブフィールド別に互いに異なるようにすることができる。
【０１０６】
または、本発明の駆動波形では、少なくとも一つのサブフィールドではデータパルスの印加時点とスキャンパルスの印加時点を互いに異なるようにしながら、各々のサブフィールド別にデータパルスの印加時点をスキャンパルスの印加時点の前後で互いに異なるように設定することができる。例えば、第１サブフィールドではデータパルスの印加時点をスキャンパルスの印加時点の前と後に設定し、第２サブフィールドではデータパルスの印加時点を全てスキャンパルスの印加時点の以前に設定し、第３サブフィールドではデータパルスの印加時点を全てスキャンパルスの印加時点の以後に設定することもできる。
【０１０７】
図１１Ａ乃至図１１Ｃは、図１０の駆動波形をより詳細に説明するための図である。
【０１０８】
図１１Ａは、図１０の領域Ｄの拡大図である。図１１Ａを考察すると、図１０のＤ領域ではデータ電極（Ｘ１〜Ｘｎ）に印加されるデータパルスの印加時点がスキャン電極（Ｙ）に印加されるスキャンパルスの印加時点の以前または以後に印加される。
【０１０９】
図１１Ｂは、図１０の領域Ｅの拡大図である。図１１Ｂを考察すると、図１０のＥ領域ではデータ電極（Ｘ１〜Ｘｎ）に印加されるデータパルスの印加時点がスキャン電極（Ｙ）に印加されるスキャンパルスの印加時点と異なり、また全てのデータパルスの印加時点は前述したスキャンパルスの印加時点より遅い。ここで、図１１Ｂでは、全てのデータパルスの印加時点をスキャンパルスの印加時点より遅くように設定したが、一つのデータパルスの印加時点のみを前述したスキャンパルスの印加時点より遅くように設定することもでき、このようなスキャンパルスの印加時点より遅くように印加されるデータパルスの個数は変更可能である。 
【０１１０】
図１１Ｃは、図１０の領域Ｆの拡大図である。図１１Ｃを考察すると、図１０のＦ領域ではデータ電極（Ｘ１〜Ｘｎ）に印加されるデータパルスの印加時点がスキャン電極（Ｙ）に印加されるスキャンパルスの印加時点と異なり、また全てのデータパルスの印加時点は前述したスキャンパルスの印加時点より先立つ。ここで、図１１Ｃでは、全てのデータパルスの印加時点をスキャンパルスの印加時点より先立つように設定したが、一つのデータパルスの印加時点のみを前述したスキャンパルスの印加時点より先立つように設定することができ、このようなスキャンパルスの印加時点より先立って印加されるデータパルスの個数は変更可能である。
【０１１１】
以上、本発明が属する技術分野の当業者は本発明がその技術的思想や必須的に特徴を変更しなくて他の具体的な形態で実施できるということを理解できるはずである。例えば、以上では全てのデータ電極（Ｘ１〜Ｘｎ）にスキャンパルスが印加される時点と異なる時点でデータパルスを印加したり、全てのデータ電極を配置順序によって同一なデータ電極の個数を有する４個の電極群に分けて、各電極群別にスキャンパルスが印加される時点と互いに異なる時点でデータパルスを印加する方法のみを図示及び説明したが、これとは異に、全てのデータ電極（Ｘ１〜Ｘｎ）のうち、奇数番目のデータ電極を一つの電極群に設定し、偶数番号目データ電極をもう一つの電極群に設定して、同一な電極群内の全てのデータ電極には同一な時点でデータパルスを印加し、各々の電極群のデータパルス印加時点をスキャンパルスが印加される時点と互いに異なるように設定する方法も可能である。
【０１１２】
また、少なくとも一つ以上が互いに異なるデータ電極の個数を有する複数の電極群にデータ電極（Ｘ１〜Ｘｎ）を区分して各電極群別にスキャンパルスの印加時点と互いに異なる時点でデータパルスが印加されるようにする方法も可能である。例えば、スキャン電極（Ｙ）に印加されるスキャンパルスの印加時点をｔｓと仮定する際、アドレスＸ１電極には時点ｔｓ＋Δｔでデータパルスを印加し、データ電極Ｘ２〜Ｘ１０電極にはｔｓ＋３Δｔでデータパルスを印加し、データ電極Ｘ１１〜Ｘｎ電極にはｔｓ＋４Δｔでデータパルスを印加する等、本発明のプラズマディスプレイパネルの駆動方法は多様に変形可能である。
【０１１３】
次に、本発明のプラズマディスプレイ装置の駆動方法の主要な特徴中の一つであるアドレス期間において複数のスキャン電極（Ｙ）をスキャニング（Scanning）する順序、即ち互いに異なる複数個のスキャンパルス供給順序中の一つのスキャンパルス供給順序でスキャン電極（Ｙ）をスキャニングする方法を考察すると次の通りである。
【０１１４】
ここで、前述した複数のスキャンパルス供給順序中の一つのスキャンパルス供給順序を決定する重要な要因は、映像データによる変位電流（Displacement Current: Ｉｄ）の大きさであるが、これを添付の図１２を参照して考察すると次の通りである。
【０１１５】
図１２は、入力される映像データによる変位電流の大きさを説明するための図である。
【０１１６】
図１２を考察すると、（ａ）のように、２番目スキャン電極（Ｙ２）がスキャンされる際、即ち２度目のスキャン電極（Ｙ２）にスキャンパルスが供給される際、データ電極、例えばＸ１データ電極乃至Ｘｍデータ電極には論理（Logic）値１（High）と０（Low）が交互に表れる映像データが印加される。また、３番目のスキャン電極（Ｙ３）がスキャンされる際、データ電極（Ｘ）には論理値０が維持される。論理値１は該当データ電極（Ｘ）にデータパルスの電圧、即ちデータ電圧（Ｖｄ）が印加された状態であり、論理値０は該当データ電極に０Ｖが印加された状態、即ちデータ電圧が供給されていない状態である。
【０１１７】
即ち、一つのスキャン電極（Ｙ）上の放電セルに論理値１と０が交互に変わる映像データが印加され、次のスキャン電極（Ｙ）上の放電セルには論理値０が維持される映像データが印加される場合である。この際、各データ電極（Ｘ）に流れる変位電流（Ｉｄ）は次の数式１の通りである。
【０１１８】
（数式１）
Ｉｄ=１／２（Ｃｍ１＋Ｃｍ２）Ｖｄ
Ｉｄ：各データ電極（Ｘ）に流れる変位電流
Ｃｍ１：データ電極（Ｘ）間の等価キャパシタンス
Ｃｍ２：データ電極（Ｘ）とスキャン電極（Ｙ）またはデータ電極（Ｘ）とサステイン電極（Ｚ）間の等価キャパシタンス
Ｖｄ：各データ電極（Ｘ）に印加されるデータパルスの電圧
【０１１９】
次に、（ｂ）のように、２番目のスキャン電極（Ｙ２）がスキャンされる際、データ電極（Ｘ１乃至Ｘｍ）には論理値１が維持される映像データが印加される。また、３番目のスキャン電極（Ｙ３）がスキャンされる際、データ電極（Ｘ１乃至Ｘｍ）には論理値０が維持される映像データが印加される。論理値０は前述したように、該当Ｘ電極に０Ｖが印加された状態、即ちデータ電圧（Ｖｄ）が供給されていない状態である。
【０１２０】
即ち、一つのスキャン電極（Ｙ）上の放電セルに１が維持された映像データが印加され、次のスキャン電極（Ｙ）上の放電セルには論理値０が維持される映像データが印加される場合である。また、一つのスキャン電極（Ｙ）上の放電セルに０が維持される映像データが印加されて、次のスキャン電極（Ｙ）上の放電セルには論理値１が維持される映像データが印加される場合も同様である。
【０１２１】
この際、各データ電極（Ｘ）に流れる変位電流（Ｉｄ）は数式２の通りである。
【０１２２】
（数式２）
Ｉｄ=１／２（Ｃｍ２）Ｖｄ
Ｉｄ：各データ電極（Ｘ）に流れる変位電流
Ｃｍ２：データ電極（Ｘ）とスキャン電極（Ｙ）またはデータ電極（Ｘ）とサステイン電極（Ｚ）間の等価キャパシタンス
Ｖｄ：各データ電極（Ｘ）に印加されるデータパルスの電圧
【０１２３】
次に、（ｃ）のように、２番目のスキャン電極（Ｙ２）がスキャンされる際、データ電極（Ｘ１乃至Ｘｍ）には論理値１と０が交互に変わる映像データが印加される。また、３番目のスキャン電極（Ｙ３）がスキャンされる際、２番目のスキャン電極（Ｙ２）上の放電セルに印加された映像データの位相とデータの位相が１８０゜差ができるように論理値０と１が交互に変わる映像データが印加される。
【０１２４】
即ち、一つのスキャン電極（Ｙ）上の放電セルに論理値１と０が交互に変わる映像データが印加され、次のスキャン電極（Ｙ）上の放電セルに前述した一つのスキャン電極（Ｙ）上の放電セルに印加された映像データの位相とデータの位相が１８０゜差ができるように論理値０と１が交互に変わる映像データが印加されるものである。
【０１２５】
この際、各データ電極に流れる変位電流（Ｉｄ）は次の数式３の通りである。
【０１２６】
（数式３）
Ｉｄ=１／２（４Ｃｍ１＋Ｃｍ２）Ｖｄ
Ｉｄ：各データ電極（Ｘ）に流れる変位電流
Ｃｍ２：データ電極（Ｘ）とスキャン電極（Ｙ）またはデータ電極（Ｘ）とサステイン電極（Ｚ）間の等価キャパシタンス
Ｖｄ：各データ電極（Ｘ）に印加される電圧
【０１２７】
次に、（ｄ）のように、２番目のスキャン電極（Ｙ２）がスキャンされる際、データ電極（Ｘ１乃至Ｘｍ）には論理値１と０が交互に変わる映像データが印加される。また、３番目のスキャン電極（Ｙ３）がスキャンされる際、２番目のスキャン電極（Ｙ２）上の放電セルに印加された映像データの位相と同一であるように論理値１と０が交互に変わる映像データが印加される。
【０１２８】
即ち、一つのスキャン電極上の放電セルに論理値１と０が交互に変わる映像データが印加され、次のスキャン電極（Ｙ）上の放電セルには前述した一つのスキャン電極（Ｙ）上の放電セルに印加された映像データの位相と同一であるように論理値１と０が交互に変わる映像データが印加されるものである。
【０１２９】
この際、各データ電極（Ｘ）に流れる変位電流（Ｉｄ）は次の数式４の通りである。
【０１３０】
（数式４）
Ｉｄ=０
Ｉｄ：各データ電極（Ｘ）に流れる変位電流
Ｃｍ２：データ電極（Ｘ）とスキャン電極（Ｙ）またはデータ電極（Ｘ）とサステイン電極（Ｚ）間の等価キャパシタンス
Ｖｄ：各データ電極（Ｘ）に印加される電圧
【０１３１】
次に、（ｅ）のように、２番目のスキャン電極（Ｙ２）がスキャンされる際、データ電極（Ｘ１乃至Ｘｍ）には論理値０が維持される映像データが印加される。また、３番目のスキャン電極（Ｙ３）がスキャンされる際、３番目のスキャン電極（Ｙ３）には論理値０が維持される映像データが印加される。
【０１３２】
即ち、一つのスキャン電極（Ｙ）上の放電セルには論理値０が維持される映像データが印加され、次のスキャン電極（Ｙ）上の放電セルにも論理値０が維持される映像データが印加される。
【０１３３】
また、一つのスキャン電極（Ｙ）上の放電セルには論理値１が維持される映像データが印加されて、次のスキャン電極（Ｙ）上の放電セルには論理値１が維持される映像データが印加される場合も同様である。
【０１３４】
この際、各データ電極（Ｘ）に流れる変位電流（Ｉｄ）は次の数式５の通りである。
【０１３５】
（数式５）
Ｉｄ=０
Ｉｄ：各データ電極（Ｘ）に流れる変位電流
Ｃｍ２：データ電極（Ｘ）とスキャン電極（Ｙ）またはデータ電極（Ｘ）とサステイン電極（Ｚ）間の等価キャパシタンス
Ｖｄ：各データ電極（Ｘ）に印加される電圧
【０１３６】
前述した数式１乃至数式５から分かるように、一つのスキャン電極（Ｙ）上の放電セルに論理値１と０が交互に変わる映像データが印加され、次のスキャン電極（Ｙ）上の放電セルに前述した一つのスキャン電極（Ｙ）上の放電セルに印加された映像データの位相とデータの位相が１８０°差ができるように論理値１と０が交互に変わる映像データが印加される場合がデータ電極（Ｘ）に最も大きい変位電流が流れる。
【０１３７】
一方、一つのスキャン電極（Ｙ）上の放電セルに論理値１と０が交互に変わる映像データが印加され、次のスキャン電極（Ｙ）上の放電セルには前述した一つのスキャン電極（Ｙ）上の放電セルに印加された映像データの位相と同一であるように論理値１と０が交互に変わる映像データが印加される場合、あるいは一つのスキャン電極（Ｙ）上の放電セルと次のスキャン電極（Ｙ）上の放電セルの全てに論理値０又は１が持続する映像データが印加される場合がデータ電極（Ｘ）に最も小さな変位電流が流れる。
【０１３８】
以上、図１２の説明を考察すると、図１２の（ｃ）のように、互いに異なる論理の映像データが交互に供給される場合に最大の変位電流が流れ、このような場合にデータドライバ集積回路が電気的損傷を受ける可能性が最も大きいということが分かる。
【０１３９】
言い換えると、一つのデータ電極（Ｘ）を担当するデータドライバ集積回路の観点から見れば、図１２の（ｃ）のような映像データはデータドライバ集積回路のスイッチング回数が最も多い場合に該当するので、データドライバ集積回路のスイッチング動作回数が多いほどデータドライバ集積回路に流れる変位電流が大きくなり、これによって、データドライバ集積回路が電気的損傷を被る可能性が増加することが分かる。
【０１４０】
図１３Ａ及び図１３Ｂは、映像データとこれによる変位電流を考慮したスキャン順序を変更する方法の一例を説明するための図である。
【０１４１】
図１３Ａ及び図１３Ｂを考察すると、図１３Ａと図１３Ｂは全て同一な映像データであることを確認することができる。ただし、そのスキャン順序が異なるだけである。
【０１４２】
まず、図１３Ａを考察すると、（ｂ）のようなパターンの映像データが供給される場合に（ａ）のような順序でスキャン電極（Ｙ）をスキャニングすれば、スキャン電極（Ｙ）の配列方向に映像データの論理値が変わる頻度が相対的に頻繁であるので、相対的に大きい変位電流が発生することになる。
【０１４３】
このようなパターンの映像データを図１３Ｂ（ａ）でのように、スキャン電極（Ｙ）のスキャニング順序を再調整すれば、映像データが図１３ｂの（ｂ）のように配列される結果をもたらす。すると、スキャン電極（Ｙ）の配列方向に映像データの論理値が変わる頻度が減少することになることによって、発生する変位電流も減少することになる。
【０１４４】
結果的に、図１３Ｂの場合のように、映像データによりスキャン電極（Ｙ）のスキャニング順序を調節することになれば、データドライバ集積回路に流れる変位電流の大きさを減少させて、データドライバ集積回路が電気的損傷を被る可能性を減少させることになる。
【０１４５】
このような図１３Ａ及び図１３Ｂでの同一な原理に基づいて本発明のプラズマディスプレイ装置の駆動方法が開発されたが、このような本発明のプラズマディスプレイ装置の駆動方法での他の適用例を添付の図１４を参照して考察すると次の通りである。
【０１４６】
図１４は、本発明のプラズマディスプレイ装置の駆動方法での他の適用例を説明するための図である。
【０１４７】
図１４を考察すると、本発明に係るプラズマディスプレイ装置の駆動方法は、図１４に示すように、総数４つのスキャンパルス供給順序（Ｔｙｐｅ）、即ち、第１タイプ（Ｔｙｐｅ １）、第２タイプ（Ｔｙｐｅ ２）、第３タイプ（Ｔｙｐｅ ３）、第４タイプ（Ｔｙｐｅ ４）のスキャン順序の中から選択された一つのスキャンパルス供給順序でスキャニングを遂行することができる。
【０１４８】
第１スキャンパルス供給順序（Ｔｙｐｅ １）は、Ｙ１−Ｙ２−Ｙ３−・・・・・・のようにスキャン電極（Ｙ）が配列された順序でスキャンパルスを供給する。
【０１４９】
第２スキャンパルス供給順序（Ｔｙｐｅ ２）は、第１グループに属するスキャン電極（Ｙ）に順次にスキャンパルスを供給し、第２グループに属するスキャン電極（Ｙ）に順次にスキャンパルスを供給する。即ち、Ｙ１−Ｙ３−Ｙ５−・・・・・・Ｙｎ−１スキャン電極をスキャンし、Ｙ２−Ｙ４−Ｙ６−・・・・・・Ｙｎスキャン電極をスキャニングする。
【０１５０】
第３スキャン パルス供給順序（Ｔｙｐｅ ３）は、第１グループに属するスキャン 電極（Ｙ）に順次にスキャンパルスを供給し、第２グループに属するスキャン電極（Ｙ）に順次にスキャンパルスを供給する。以後、第３グループに属するスキャン電極（Ｙ）に順次にスキャンパルスを供給する。即ち、Ｙ１−Ｙ４−Ｙ７−・・・・・・Ｙｎ−２スキャン電極をスキャニングし、Ｙ２−Ｙ５−Ｙ８−・・・・・・Ｙｎ−１スキャン電極をスキャニングした後、Ｙ３−Ｙ６−Ｙ９−・・・・・・Ｙｎスキャン電極をスキャニングする。
【０１５１】
第４スキャンパルス供給順序（Ｔｙｐｅ ４）は、第１グループに属するスキャン電極（Ｙ）に順次にスキャンパルスを供給し、第２グループに属するスキャン電極（Ｙ）に順次にスキャンパルスを供給する。以後、第３グループに属するスキャン電極（Ｙ）に順次にスキャンパルスを供給し、第４グループに属するスキャン電極（Ｙ）に順次にスキャンパルスを供給する。即ち、Ｙ１−Ｙ５−Ｙ９−・・・・・・Ｙｎ−３スキャン電極をスキャンし、Ｙ２−Ｙ６−Ｙ１０−・・・・・・Ｙｎ−２スキャン電極をスキャンし、Ｙ３−Ｙ７−Ｙ１１−・・・・・・Ｙｎ−１スキャン電極をスキャンした後、Ｙ４−Ｙ８−Ｙ１２−・・・・・・Ｙｎスキャン電極をスキャンする。
【０１５２】
ここで、図１４では総４つのスキャンパルス供給順序があり、このような４つのスキャンパルス供給順序の中から一つのスキャンパルス供給順序を選択してスキャン電極（Ｙ）をスキャニングする方法のみを図示及び説明したが、これとは異なり、２つのスキャンパルス供給順序、３つのスキャンパルス供給順序、５つのスキャンパルス供給順序など、多様な個数のスキャンパルス供給順序を置いて、このようなスキャンパルス供給順序から一つのスキャンパルス供給順序を選択してスキャン電極（Ｙ）をスキャニングすることも可能である。
【０１５３】
このように、複数のスキャンパルス供給順序を設けて、このような複数のスキャンパルス供給順序のうち、一つのスキャンパルス供給順序でスキャン電極（Ｙ）をスキャニングするための前述した図２での符号２０２のスキャン駆動部のより詳細な構成を添付の図１５を参照しつつ説明すれば次の通りである。
【０１５４】
図１５は、本発明のプラズマディスプレイ装置の駆動方法を実現するためのスキャン駆動部の構成及び動作をより詳細に説明するための図である。
【０１５５】
図１５を考察すると、本発明に係るプラズマディスプレイ装置の駆動方法を具現するためのスキャン駆動部は、データ比較部１０００とスキャン順序決定部１００１を含むことができる。
【０１５６】
データ比較部１０００は、サブフィールドマッピング部２０４がマッピングした映像データを供給受けて、複数個のスキャンパルス供給順序の各々によって、特定のスキャン電極（Ｙ）ライン上に位置する１つ以上の放電セルからなるセル束の映像データと、該セル束の垂直及び水平方向に位置したセル束の映像データと比較して、変位電流の大きさを計算する。
【０１５７】
この際、セル束とは、一つ以上のセルを組にして一つの単位化したものを意味する。例えば、Ｒ、Ｇ、Ｂに該当するセルが集まって一つのピクセルをなすので、ピクセルはセル束に該当する。
【０１５８】
スキャン順序決定部１００１は、データ比較部１０００が計算した変位電流の大きさに対する情報を利用して、変位電流の大きさが最も小さなスキャンパルス供給順序によってスキャン順序を決定する。
【０１５９】
このように、スキャン順序決定部１００１が決定したスキャン順序に対する情報はデータ整列部２０５に印加され、ここで、データ整列部２０５は前述したスキャン順序決定部１００１が決定したスキャン順序によって前述したサブフィールドマッピング部１２０４がサブフィールドマッピングした映像データを再整列して、このように再整列した映像データをデータ電極（Ｘ）に供給する。
【０１６０】
このような図１５のスキャン駆動部２０２の構成を、前述した図１４の場合と結び付けて考察すると、前述した図１４での４つのスキャンパルス供給順序に対する変位電流の大きさを図１５のデータ比較部１０００が各々計算し、このような４つのスキャンパルス供給順序に対する変位電流の大きさに対する情報をスキャン順序決定部１００１に印加すれば、スキャン順序決定部１００１は前述した４つのスキャンパルス供給順序に対する各々の変位電流の大きさを互いに比較して変位電流の大きさが最も小さな一つのスキャンパルス供給順序を選択する。例えば、第１スキャンパルス供給順序に対する変位電流の大きさが１０、第２スキャンパルス供給順序に対する変位電流の大きさが１５、第３スキャンパルス供給順序に対する変位電流の大きさが１１、第４スキャンパルス供給順序に対する変位電流の大きさが８と仮定すれば、スキャン順序決定部１００１は、第４スキャンパルス供給順序を選択し、このような第４スキャンパルス供給順序によってスキャン電極（Ｙ）のスキャニング順序を決定することになるものである。
【０１６１】
一方、前述した総４つのスキャンパルス供給順序のうち、第２スキャンパルス供給順序を除外した全てのスキャンパルス供給順序、即ち第１、３、４スキャンパルス供給順序に対する変位電流の大きさがデータドライバ集積回路に電気的損傷を負わせないだけ十分小さいならば、スキャン順序決定部１００１は、第１、３、４スキャンパルス供給順序のうち、何れのタイプでも選択することができる。
【０１６２】
ここで、前述したようなデータドライバ集積回路に電気的損傷を負わせないだけ十分小さな電流に対する情報は予め設定されることができる。即ち、データドライバ集積回路に電気的損傷を負わせないだけ十分小さな電流の最大値を予めしきい電流に設定して置いて、このようなしきい電流以下の変位電流が発生するスキャンパルス供給順序を選択することもできる。
【０１６３】
図１６は、本発明のプラズマディスプレイ装置のスキャン駆動部に含まれるデータ比較部１０００に含まれる基本回路ブロックの構成図である。
【０１６４】
図１６に示すように、本発明のプラズマディスプレイ装置においてスキャン駆動部のデータ比較部１０００に含まれる基本回路ブロックは、メモリ部７３１、第１バッファ（buffer）（ｂｕｆ１）、第２バッファ（ｂｕｆ２）、第１判断部乃至第３判断部７３４−１、７３４−２、７３４−３、デコーダ部７３５、第１乃至第３合算部７３６−１、７３６−２、７３６−３、第１乃至第３電流計算部７３７−１、７３７−２、７３７−３及び電流合算部７３８を含む。
【０１６５】
ｌ−１番目のスキャン電極、即ちｌ−１番目のスキャン電極ラインに該当する映像データがメモリ部７３１に格納され、ｌ番目のスキャン電極、即ちｌ番目のスキャン電極ラインに該当する映像データが入力される。
【０１６６】
第１バッファ（ｂｕｆ１）は、ｌ番目のスキャン電極ラインに該当する放電セルのうち、ｑ−１番目の放電セルの映像データを臨時格納する。
【０１６７】
第２バッファ（ｂｕｆ２）は、メモリ部７３１に格納されたｌ−１番目のスキャン電極ラインに該当する放電セルのうち、ｑ−１番目の放電セルの映像データを臨時格納する。
【０１６８】
第１判断部７３４−１は、排他的論理和ゲート素子（exclusive OR gate）を含んでｌ番目のスキャン電極ラインのｑ番目の放電セルの映像データと第１バッファ（ｂｕｆ１）に格納されたｌ番目のスキャン電極ラインのｑ−１番目の放電セルの映像データとを比較して互いに異なれば１を出力し、互いに同一であれば０を出力する。
【０１６９】
第２判断部７３４−２は、排他的論理和ゲート素子を含んでｌ−１番目のスキャン電極ラインのｑ番目の放電セルの映像データと第２バッファ（ｂｕｆ２）に格納されたｌ−１番目のスキャン電極ラインのｑ−１番目の放電セルの映像データとを比較して互いに異なれば１を出力し、互いに同一であれば０を出力する。
【０１７０】
第３判断部７３４−３は、排他的論理和ゲート素子を含んで第１バッファ（ｂｕｆ１）に格納されたｌ番目のスキャン電極ラインのｑ−１番目の放電セルの映像データと第２バッファ（ｂｕｆ２）に格納されたｌ−１番目のスキャン電極ラインのｑ−１番目の放電セルの映像データとを比較して、互いに異なれば１を出力し、互いに同一であれば０を出力する。
【０１７１】
図１７は、データ比較部の第１判断部乃至第３判断部の動作をより詳細に説明するための図である。ここで、（１）、（２）、（３）の各々は第１判断部７３４−１、第２判断部７３４−２及び第３判断部７３４−３の動作に該当するものである。
【０１７２】
図１７を考察すると、本発明のデータ比較部１０００は、第１判断部７３４−１乃至第３判断部７３４−３を通じて、一つのセルの水平方向と垂直方向にある隣接セルの映像データを比較してその変化を判断する。デコーダ７３５は第１判断部乃至第３判断部７３４−１、７３４−２、７３４−３の各々の出力信号に該当する３ビット信号を出力する。
【０１７３】
図１８は、本発明のデータ比較部の基本回路ブロックに含まれた第１乃至第３判断部７３４−１、７３４−２、７３４−３の出力信号による映像データのパターン内容を示す図である。
【０１７４】
図１８を考察すると、第１判断部乃至第３判断部７３４−１、７３４−２、７３４−３の各々の出力信号が（０、０、０）であれば、図１３の（ｅ）に図示された映像データのパターンの状態に対応する。したがって、出力信号が（０、０、０）であれば、変位電流（Ｉｄ）は０である。
【０１７５】
第１乃至第３判断部７３４−１、７３４−２、７３４−３の各々の出力信号が（０、０、１）であれば、図１３の（ｂ）に図示された映像データのパターン状態に対応する。したがって、出力信号が（０、０、１）であれば、変位電流（Ｉｄ）はＣｍ２に比例する。
【０１７６】
第１乃至第３判断部７３４−１、７３４−２、７３４−３の各々の出力信号が（０、１、０）、（０、１、１）、（１、０、０）及び （１、０、１）のうち、いずれか一つであれば、図７の（ａ）に図示された映像データのパターンに対応する。したがって、出力信号が（０、１、０）、（０、１、１）、 １、０、０）及び（１、０、１）のうち、いずれか一つであれば、変位電流（Ｉｄ）は（Ｃｍ１＋Ｃｍ２）に比例する。
【０１７７】
第１乃至第３判断部７３４−１、７３４−２、７３４−３の各々の出力信号が（１、１、０）であれば、図１３の（ｄ）に図示された映像データのパターンの状態に対応する。したがって、出力信号が（１、１、０）であれば、変位電流（Ｉｄ）は０である。
【０１７８】
第１乃至第３判断部７３４−１、７３４−２、７３４−３の各々の出力信号が（１、１、１）であれば、図１３の（ｃ）に図示された映像データのパターンの状態に対応する。したがって、出力信号が（１、１、１）であれば、変位電流（Ｉｄ）は（４Ｃｍ１＋Ｃｍ２）に比例する。
【０１７９】
また、図１６の第１合算部乃至第３合算部７３６−１、７３６−２、７３６−３は、デコーダ７３５から出力された特定の３ビット信号の出力回数を合算して出力する。
【０１８０】
即ち、第１合算部７３６−１は、デコーダ７３５が（０、１、０）、（０、１、１）、（１、０、０）及び（１、０、１）のうち、いずれか一つを出力する回数を合算し、合計値（Ｃ１）を算出する。第２合算部７３６−２はデコーダ７３５が（０、０、１）を出力する回数を合算し、合計値（Ｃ２）を算出する。第３合算部７３６−３は、デコーダ７３５が（１、１、１）を出力する回数を合算し、合計値（Ｃ３）を算出する。
【０１８１】
第１乃至第３電流計算部７３７−１、７３７−２、７３７−３の各々は、第１合算部７３６−１、第２合算部７３６−２及び第３合算部７３６−３からＣ１、Ｃ２及びＣ３の入力を受けて、変位電流の大きさを計算する。
【０１８２】
電流合算部７３８は、第１乃至第３電流計算部７３７−１、７３７−２、７３７−３の各々から計算された変位電流の大きさを合算する。
【０１８３】
図１９は、本発明のプラズマディスプレイ装置においてスキャン駆動部のデータ比較部１０００とスキャン順序決定部１００１のブロック構成図である。
【０１８４】
図１９に示すように、本発明のプラズマディスプレイ装置においてスキャン駆動部のデータ比較部１０００は、図１９に図示された基本回路ブロック４つが連結されている構造であり、スキャン順序決定部１００１は、４つの基本回路ブロックの出力を比較して最も小さな変位電流を発生するスキャン順序を決定する。ここで、図１９の場合は前述した１４のようにスキャンパルス供給順序が総４つのスキャンパルス供給順序を含む場合である。即ち、各スキャンパルス供給順序ごとにスキャン電極（Ｙ）をスキャニングするケースを全てのスキャン供給順序に対して実行するデータ比較部１０００と、スキャン順序決定部１００１との構成であることを予め明らかにする。
【０１８５】
データ比較部１０００は、第１乃至第４メモリ部２００１、２００３、２００５、２００７及び第１電流判別部乃至第４電流判別部２０１０、２０３０、２０５０、２０７０を含む。即ち、一つのメモリ部と一つの電流判別部が、図１６に図示された基本回路ブロックに対応する。
【０１８６】
第１乃至第４メモリ部２００１、２００３、２００５、２００７は、互いに直列で連結されていて、４つのスキャン電極（Ｙ）ラインに該当する映像データが格納される。即ち、第１メモリ部２００１はｌ−４番目のスキャン電極（Ｙ）ラインに該当する映像データを、第２メモリ部２００３はｌ−３番目のスキャン電極（Ｙ）ラインに該当する映像データを、第３メモリ部２００５はｌ−２番目のスキャン電極（Ｙ）ラインに該当する映像データを、第４メモリ部９０７はｌ−１番目のスキャン電極（Ｙ）ラインに該当する映像データを格納する。
【０１８７】
第１電流判別部２０１０は、ｌ番目のスキャン電極（Ｙ）ラインの映像データと第１メモリ部２００１に格納されたｌ−４番目のスキャン電極（Ｙ）ラインの映像データを入力受ける。このような映像データを入力受けた第１電流判別部２０１０の電流大きさの計算が第２乃至第４電流判別部２０３０、２０５０、２０７０の電流大きさより小さいならばスキャン順序は図１４の第４スキャンパルス供給順序（Ｔｙｐｅ４）と同一である。即ち、Ｙ１−Ｙ５−Ｙ９−・・・・・・、Ｙ２−Ｙ６−Ｙ１０−・・・・・・、Ｙ３−Ｙ７−Ｙ１１−・・・・・・、Ｙ４−Ｙ８−Ｙ１２−・・・・・・の順にスキャンされなければならない。
【０１８８】
第１電流判別部２０１０の動作は、先に説明した基本回路ブロックの動作と同一である。ｌ−４番目のスキャン電極（Ｙ）ラインに該当する映像データが第１メモリ部２００１に格納され、ｌ番目のスキャン電極（Ｙ）ラインに該当する映像データが入力される。
【０１８９】
第１バッファ（ｂｕｆ１）は、ｌ番目のスキャン電極（Ｙ）ラインに該当する放電セルのうち、ｑ−１番目の放電セルの映像データを臨時格納する。
【０１９０】
第２バッファ（ｂｕｆ２）は、第１メモリ部２００１に格納されたｌ−４番目のスキャン電極（Ｙ）ラインに該当する放電セルのうち、ｑ−１番目の放電セルの映像データを臨時格納する。
【０１９１】
第１判断部ＸＯＲ１は、排他的論理和ゲート素子（exclusive OR gate）を含んで、ｌ番目のスキャン電極（Ｙ）ラインのｑ番目の放電セルの映像 データ（ｌ、ｑ）と、第１バッファ（ｂｕｆ１）に格納されたｌ番目のスキャン電極（Ｙ）ラインのｑ−１番目の放電セルの映像データ（ｌ、ｑ−１）とを比較して、互いに異なればＶａｌｕｅ=１を出力し、互いに同一であればＶａｌｕｅ=０を出力する。
【０１９２】
第２判断部ＸＯＲ２は、排他的論理和ゲート素子を含んで、ｌ番目のスキャン電極（Ｙ）ラインのｑ−１番目の放電セルの映像データ（ｌ、ｑ−１）と、第２バッファ（ｂｕｆ２）に格納されたｌ−４番目のスキャン電極（Ｙ）ラインのｑ−１番目の放電セルの映像データ（ｌ−４、ｑ−１）とを比較して、互いに異なればＶａｌｕｅ= １を出力し、互いに同一であればＶａｌｕｅ= ０を出力する。
【０１９３】
第３判断部ＸＯＲ３は、排他的論理和ゲート素子を含んで、第２バッファｂｕｆ２に格納されたｌ−４番目のスキャン電極（Ｙ）ラインのｑ−１番目の放電セルの映像データ（ｌ−４、ｑ−１）と、第１メモリ部９０１から出力されるｌ−４番目のスキャン電極（Ｙ）ラインのｑ番目の放電セルの映像データ（ｌ−４、ｑ）とを比較して、互いに異なればＶａｌｕｅ=１を出力し、互いに同一であればＶａｌｕｅ=０を出力する。
【０１９４】
第１デコーダＤｅｃ１は、第１判断部乃至第３判断部ＸＯＲ１、ＸＯＲ２、ＸＯＲ３の各々の出力信号を並列に入力を受けて３ビット信号を出力する。
【０１９５】
図２０は、本発明のデータ比較部に含まれた第１乃至第３判断部ＸＯＲ１、ＸＯＲ２、ＸＯＲ３の出力信号に係る映像データのパターン内容を示す図である。
【０１９６】
図２０を考察すると、第１乃至第３判断部ＸＯＲ１、ＸＯＲ２、ＸＯＲ３の出力信号（Ｖａｌｕｅ１、Ｖａｌｕｅ２、Ｖａｌｕｅ３）により変位電流の大きさを決定するキャパシタンス（Capacitance）の大きさが変わる。
【０１９７】
第１合算部乃至第３合算部Ｉｎｔ１、Ｉｎｔ２、Ｉｎｔ３は、第１デコーダＤｅｃ１から出力された特定の３ビット信号の出力回数を合算して出力する。
【０１９８】
即ち、第１合算部Ｉｎｔ１は、第１デコーダＤｅｃ１が（０、０、１）、（０、１、１）、（１、０、０）及び（１、１、０）のうち、いずれか一つを出力する回数を合算し、合計値（Ｃ１）を算出する。第２合算部Ｉｎｔ２は、第１デコーダＤｅｃ１が（０、１、０）を出力する回数を合算し、合計値（Ｃ２）を算出する。第３合算部Ｉｎｔ３は、第１デコーダＤｅｃ１が（１、１、１）を出力する回数を合算し、合計値（Ｃ３）を算出する。
【０１９９】
第１乃至第３電流計算部Ｃａｌ１、 Ｃａｌ２、 Ｃａｌ３の各々は、第１合算部Ｉｎｔ１、第２合算部Ｉｎｔ２及び第３合算部Ｉｎｔ３からＣ１、Ｃ２及びＣ３の入力を受けて、変位電流の大きさを計算する。
【０２００】
即ち、第１電流計算部Ｃａｌ１は、第１合算部Ｉｎｔ１の出力（Ｃ１）と（Ｃｍ１＋Ｃｍ２）をかけて電流の大きさを計算する。第２電流計算部Ｃａｌ２は、第２合算部Ｉｎｔ２の出力（Ｃ２）と（Ｃｍ２）をかけて電流の大きさを計算する。第３電流計算部Ｃａｌ３は、第３合算部Ｉｎｔ３の出力（Ｃ３）と（４Ｃｍ１＋Ｃｍ２）をかけて電流の大きさを計算する。
【０２０１】
第１電流合算部Ａｄｄ１は、第１乃至第３電流計算部Ｃａｌ１、Ｃａｌ２、Ｃａｌ３の各々から計算された変位電流の大きさを合算する。
【０２０２】
このような第１電流判別部の動作と同様に、第２乃至第４電流判別部２０３０、２０５０、２０７０も動作することによって合算された変位電流の大きさを計算する。
【０２０３】
この際、第２電流判別部２０３０の第１判断部ＸＯＲ１は排他的論理和ゲート素子（exclusive OR gate）を含んで、ｌ番目のスキャン電極（Ｙ）ラインのｑ番目の放電セルの映像データ（ｌ、ｑ）と、第１バッファ（ｂｕｆ１）に格納されたｌ番目のスキャン電極（Ｙ）ラインのｑ−１番目の放電セルの映像データ（ｌ、ｑ−１）とを比較して、互いに異なれば１を出力し、互いに同一であれば０を出力する。
【０２０４】
第２電流判別部２０３０の第２判断部ＸＯＲ２は、排他的論理和ゲート素子を含んで、ｌ番目のスキャン電極（Ｙ）ラインのｑ−１番目の放電セルの映像データ（ｌ、ｑ−１）と、第２バッファ（ｂｕｆ２）に格納されたｌ−３番目のスキャン電極（Ｙ）ラインのｑ−１番目の放電セルの映像データ（ｌ−３、ｑ−１）とを比較して、互いに異なれば１を出力し、互いに同一であれば０を出力する。
【０２０５】
第２電流判別部２０３０の第３判断部ＸＯＲ３は、排他的論理和ゲート素子を含んで、第２バッファ（ｂｕｆ２）に格納されたｌ−３番目のスキャン電極（Ｙ）ラインのｑ−１番目の放電セルの映像データ（ｌ−３、ｑ−１）と、第２メモリ部２００３から出力されるｌ−３番目のスキャン電極（Ｙ）ラインのｑ番目の放電セルの映像データ（ｌ−３、ｑ）とを比較して、互いに異なれば１を出力し、互いに同一であれば０を出力する。
【０２０６】
また、第３電流判別部２０５０の第１判断部ＸＯＲ１は、排他的論理和ゲート素子（exclusive OR gate）を含んで、ｌ番目のスキャン電極（Ｙ）ラインのｑ番目の放電セルの映像データ（ｌ、ｑ）と、第１バッファｂｕｆ１に格納されたｌ番目のスキャン電極（Ｙ）ラインのｑ−１番目の放電セルの映像データ（ｌ、ｑ−１）とを比較して、互いに異なれば１を出力し、互いに同一であれば０を出力する。
【０２０７】
第３電流判別部２０５０の第２判断部ＸＯＲ２は、排他的論理和ゲート素子を含んで、ｌ番目のスキャン電極（Ｙ）ラインのｑ−１番目の放電セルの映像データ（ｌ、ｑ−１）と、第２バッファｂｕｆ２に格納されたｌ−２番目のスキャン電極（Ｙ）ラインのｑ−１番目の放電セルの映像データ（ｌ−２、ｑ−１）とを比較して、互いに異なれば１を出力し、互いに同一であれば０を出力する。
【０２０８】
第３電流判別部２０５０の第３判断部ＸＯＲ３は、排他的論理和ゲート素子を含んで、第２バッファｂｕｆ２に格納されたｌ−２番目のスキャン電極（Ｙ）ラインのｑ−１番目の放電セルの映像データ（ｌ−２、ｑ−１）と、第３メモリ部２００５から出力されるｌ−２番目のスキャン電極（Ｙ）ラインのｑ番目の放電セルの映像データ（ｌ−２、ｑ）とを比較して互いに異なれば１を出力し、互いに同一であれば０を出力する。
【０２０９】
最後に、第４電流判別部２０７０の第１判断部ＸＯＲ１は、排他的論理和ゲート素子（exclusive OR gate）を含んで、ｌ番目のスキャン電極（Ｙ）ラインのｑ番目の放電セルの映像データ（ｌ、ｑ）と、第１バッファ（ｂｕｆ１）に格納されたｌ番目のスキャン電極（Ｙ）ラインのｑ−１番目の放電セルの映像データ（ｌ、ｑ−１）とを比較して、互いに異なれば１を出力し、互いに同一であれば０を出力する。
【０２１０】
第４電流判別部２０７０の第２判断部ＸＯＲ２は、排他的論理和ゲート素子を含んでｌ番目のスキャン電極（Ｙ）ラインのｑ−１番目のセルの映像データ（ｌ、ｑ−１）と、第２バッファｂｕｆ２に格納されたｌ−１番目のスキャン電極（Ｙ）ラインのｑ−１番目の放電セルの映像データ（ｌ−１、ｑ−１）とを比較して、互いに異なれば１を出力し、互いに同一であれば０を出力する。
【０２１１】
第４電流判別部２０７０の第３判断部ＸＯＲ３は、排他的論理和ゲート素子を含んで、第２バッファｂｕｆ２に格納されたｌ−１番目のスキャン電極（Ｙ）ラインのｑ−１番目の放電セルの映像データ（ｌ−１、 ｑ−１）と、第４メモリ部２００７から出力されるｌ−１番目のスキャン電極（Ｙ）ラインのｑ番目の放電セルの映像データ（ｌ−１、ｑ）とを比較して、互いに異なれば１を出力し、互いに同一であれば０を出力する。
【０２１２】
スキャン順序決定部１００１は、第１乃至第４電流判別部２０１０、２０３０、２０５０、２０７０の各々が計算した変位電流の大きさの入力を受けて、そのうち、最も小さな変位電流を出力した電流判別部によりスキャン順序を決定する。または、予め設定したしきい電流以下の変位電流が発生するスキャンパルス供給順序のうち、いずれか一つのスキャンパルス供給順序によってスキャン電極（Ｙ）のスキャン順序を決定する。
【０２１３】
例えば、スキャン順序決定部１００１が、第２電流判別部２０３０から入力を受けた変位電流の大きさが最も小さいと判断すれば、スキャン順序決定部１００１は、スキャン順序を図９の第３スキャンパルス供給順序（Ｔｙｐｅ ３）のようにＹ１−Ｙ４−Ｙ７−・・・・・・、Ｙ２−Ｙ５−Ｙ８−・・・・・・、Ｙ３−Ｙ６−Ｙ９−・・・・・・の順にスキャンするようにする。
【０２１４】
また、スキャン順序決定部１００１が、第３電流判別部２０５０から入力を受けた変位電流の大きさが最も小さいと判断すれば、スキャン順序決定部１００１はスキャン順序を図９の第２スキャンパルス供給順序（Ｔｙｐｅ２）のようにＹ１−Ｙ３−Ｙ５−・・・・・・、Ｙ２−Ｙ４−Ｙ６−・・・・・・の順にスキャンするようにする。
【０２１５】
最後に、スキャン順序決定部１００１が、第４電流判別部２０７０から入力を受けた変位電流の大きさが最も小さいと判断すれば、スキャン順序決定部１００１はスキャン順序を図９の第１スキャンパルス供給順序（Ｔｙｐｅ１）のようにＹ１−Ｙ２−Ｙ３−Ｙ４−Ｙ５−Ｙ６−・・・・・・の順にスキャンするようにする。
【０２１６】
一方、前述した図１６で説明した本発明のプラズマディスプレイ装置において、スキャン駆動部のデータ比較部１０００に含まれる基本回路ブロックをこのような図１６とは異なるように構成することもできるが、これを添付の図２１を参照して考察すると次の通りである。
【０２１７】
図２１は、本発明のプラズマディスプレイ装置のスキャン駆動部に含まれるデータ比較部１０００に含まれる基本回路ブロックの他の構成を説明するための構成図である。
【０２１８】
図２１を考察すると、図２１の基本回路ブロックはｌ番目のスキャン電極ライン上におけるｑ番目のピクセル（Pixel）とｑ−１番目のピクセルのＲ、Ｇ、Ｂセルに該当する映像データの変化、ｌ−１番目のスキャンライン上におけるｑ番目のピクセルとｑ−１番目のピクセルのＲ、Ｇ、Ｂセルに該当する映像データの変化と、ｌ番目のスキャン電極ライン上のｑ番目のピクセルとｌ−１番目のスキャン電極ライン上のｑ−１番目のピクセルのＲ、Ｇ、Ｂセルに該当する映像データの変化、を通じて変位電流の大きさを計算する。
【０２１９】
第１メモリ部乃至第３メモリ部（Ｍｅｍｏｒｙ１、Ｍｅｍｏｒｙ２、Ｍｅｍｏｒｙ３）は、各々、ｌ−１番目のスキャン電極ラインのＲセルに該当する映像データ、Ｇセルに該当する映像データ及びＢセルに該当する映像データを臨時格納する。
【０２２０】
第１判断部乃至第３判断部ＸＯＲ１、ＸＯＲ２、ＸＯＲ３は、ｌ番目のスキャン電極ライン上のｑ番目のピクセルのＲ、Ｇ、Ｂセルに該当する映像データ間の変化を判断する。
【０２２１】
即ち、第１判断部ＸＯＲ１は、ｌ番目のスキャン電極ライン上のｑ番目のピクセルのＲセルに該当する映像データ（ｌ、ｑＲ）と、ｌ番目のスキャン電極ライン上のｑ番目のピクセルのＧセルに該当する映像データ（ｌ、ｑＧ）とを比較して、同一であれば論理値１を出力し、異なれば論理値０を出力する。
【０２２２】
第２判断部ＸＯＲ２は、ｌ番目のスキャン電極ライン上のｑ番目のピクセルのＧセルに該当する映像データ（ｌ、ｑＧ）と、ｌ番目のスキャン電極ライン上のｑ番目のピクセルのＢセルに該当する映像データ（ｌ、ｑＢ）とを比較して、同一であれば論理値１を出力し、異なれば論理値０を出力する。
【０２２３】
第３判断部ＸＯＲ３は、ｌ番目のスキャン電極ライン上のｑ番目のピクセルのＢセルに該当する映像データ（ｌ、ｑＢ）と、ｌ番目のスキャン電極ライン上のｑ−１番目のピクセルのＲセルに該当する映像データ（ｌ、ｑ−１Ｒ）とを比較して、同一であれば論理値１を出力し、異なれば論理値０を出力する。
【０２２４】
第４判断部乃至第６判断部ＸＯＲ４、ＸＯＲ５、ＸＯＲ６は、ｌ−１番目のスキャン電極ライン上のｑ番目のピクセルのＲ、Ｇ、Ｂセルに該当する映像データ間の変化を判断する。
【０２２５】
即ち、第４判断部ＸＯＲ４は、ｌ−１番目のスキャン電極ライン上のｑ番目のピクセルのＲセルに該当する映像データ（ｌ−１、ｑＲ）と、ｌ−１番目のスキャン電極ライン上のｑ番目のピクセルのＧセルに該当する映像データ（ｌ−１、ｑＧ）とを比較して、同一であれば論理値１を出力し、異なれば論理値０を出力する。
【０２２６】
第５判断部ＸＯＲ５は、ｌ−１番目のスキャン電極ライン上のｑ番目のピクセルのＧセルに該当する映像データ（ｌ−１、ｑＧ）と、ｌ−１番目のスキャン電極ライン上のｑ番目のピクセルのＢセルに該当する映像データ（ｌ−１、ｑＢ）とを比較して、同一であれば論理値１を出力し、異なれば論理値０を出力する。
【０２２７】
第６判断部ＸＯＲ６は、ｌ−１番目のスキャン電極ライン上のｑ番目のピクセルのＢセルに該当する映像データ（ｌ−１、ｑＢ）と、ｌ−１番目のスキャン電極ライン上のｑ−１番目のピクセルのＲセルに該当する映像データ（ｌ−１、ｑ−１Ｒ）とを比較して、同一であれば論理値１を出力し、異なれば論理値０を出力する。
【０２２８】
第７判断部乃至第９判断部ＸＯＲ７、ＸＯＲ８、ＸＯＲ９は、ｌ番目のスキャン電極ライン上のｑ番目のピクセルのＲ、Ｇ、Ｂセルに該当する映像データの各々と、ｌ−１番目のスキャン電極ライン上のｑ番目のピクセルのＲ、Ｇ、Ｂセルに該当する映像データの各々とを比較して映像データ間の変化を判断する。
【０２２９】
即ち、第７判断部ＸＯＲ７は、ｌ番目のスキャン電極ライン上のｑ番目のピクセルのＲセルに該当する映像データ（ｌ、ｑＲ）と、ｌ−１番目のスキャン電極ライン上のｑ番目のピクセルのＲセルに該当する映像データ（ｌ−１、ｑＲ）とを比較して、同一であれば論理値１を出力し、異なれば論理値０を出力する。
【０２３０】
第８判断部ＸＯＲ８は、ｌ番目のスキャン電極ライン上のｑ番目のピクセルのＧセルに該当する映像データ（ｌ、ｑＧ）と、ｌ−１番目のスキャン電極ライン上のｑ番目のピクセルのＧセルに該当する映像データ（ｌ−１、ｑＧ）とを比較して、同一であれば論理値１を出力し、異なれば論理値０を出力する。
【０２３１】
第９判断部ＸＯＲ９は、ｌ番目のスキャン電極ライン上のｑ番目のピクセルのＢセルに該当する映像データ（ｌ、ｑＢ）と、ｌ−１番目のスキャン電極ライン上のｑ番目のピクセルのＢセルに該当する映像データ（ｌ−１、ｑＢ）とを比較して、同一であれば論理値１を出力し、異なれば論理値０を出力する。
【０２３２】
デコーダＤｅｃは、第１乃至第３判断部ＸＯＲ１、ＸＯＲ２、ＸＯＲ３の各々の出力信号（Ｖａｌｕｅ１、Ｖａｌｕｅ２、Ｖａｌｕｅ３）、第４乃至第６判断部ＸＯＲ４、ＸＯＲ５、ＸＯＲ６の各々の出力信号（Ｖａｌｕｅ４、Ｖａｌｕｅ５、Ｖａｌｕｅ６）及び第７乃至第９判断部ＸＯＲ７、ＸＯＲ８、ＸＯＲ９の各々の出力信号（Ｖａｌｕｅ７、Ｖａｌｕｅ８、Ｖａｌｕｅ９）に該当する３ビットの信号を出力する。
【０２３３】
図２２は、本発明の図２１の回路ブロックに含まれた第１乃至第９判断部（ＸＯＲ１〜ＸＯＲ９）の出力信号による映像データのパターン内容を示す図である。
【０２３４】
図２２を考察すると、第１合算部乃至第３合算部Ｉｎｔ１、Ｉｎｔ２、Ｉｎｔ３の各々は、デコーダＤｅｃから第１乃至第３判断部ＸＯＲ１、ＸＯＲ２、ＸＯＲ３の出力信号（Ｖａｌｕｅ１、Ｖａｌｕｅ２、Ｖａｌｕｅ３）の各パターンに該当する３ビット信号の出力回数を合算し、合計値（Ｃ１、Ｃ２、Ｃ３）を算出して出力する。
第１合算部Ｉｎｔ１は、（Ｖａｌｕｅ１、Ｖａｌｕｅ２、Ｖａｌｕｅ３）が（０，１，０）、（０，１，１）、（１，０，０）、（１，０，１）のパターンの３ビット信号を出力する回数を合算し、合計値Ｃ１を出力する。即ち、図２２の表において、第３段目〜第６段目のように（Ｃｍ１＋Ｃｍ２）の変位電流のパターンになる回数をカウントする。
第２合算部Ｉｎｔ２は、（Ｖａｌｕｅ１、Ｖａｌｕｅ２、Ｖａｌｕｅ３）が（０，０，１）のパターンの３ビット信号を出力する回数を合算し、合計値Ｃ２を出力する。即ち、図２２の表において、第２段目のように（Ｃｍ２）の変位電流のパターンになる回数をカウントする。
第３合算部Ｉｎｔ３は、（Ｖａｌｕｅ１、Ｖａｌｕｅ２、Ｖａｌｕｅ３）が（１，１，１）のパターンの３ビット信号を出力する回数を合算し、合計値Ｃ１を出力する。即ち、図２２の表において、第８段目のように（４Ｃｍ１＋Ｃｍ２）の変位電流のパターンになる回数をカウントする。
【０２３５】
第４合算部乃至第６合算部Ｉｎｔ４、Ｉｎｔ５、Ｉｎｔ６の各々は、デコーダＤｅｃから第４乃至第６判断部ＸＯＲ４、ＸＯＲ５、ＸＯＲ６の出力信号（Ｖａｌｕｅ４、Ｖａｌｕｅ５、Ｖａｌｕｅ６）に該当する３ビット信号の出力回数を合算し、合計値（Ｃ４、Ｃ５、Ｃ６）を算出してして出力する。
第４合算部Ｉｎｔ４は、（Ｖａｌｕｅ４、Ｖａｌｕｅ５、Ｖａｌｕｅ６）が（０，１，０）、（０，１，１）、（１，０，０）、（１，０，１）のパターンの３ビット信号を出力する回数を合算し、合計値Ｃ４を出力する。即ち、図２２の表において、第３段目〜第６段目のように（Ｃｍ１＋Ｃｍ２）の変位電流のパターンになる回数をカウントする。
第５合算部Ｉｎｔ５は、（Ｖａｌｕｅ４、Ｖａｌｕｅ５、Ｖａｌｕｅ６）が（０，０，１）のパターンの３ビット信号を出力する回数を合算し、合計値Ｃ５を出力する。即ち、図２２の表において、第２段目のように（Ｃｍ２）の変位電流のパターンになる回数をカウントする。
第６合算部Ｉｎｔ６は、（Ｖａｌｕｅ４、Ｖａｌｕｅ５、Ｖａｌｕｅ６）が（１，１，１）のパターンの３ビット信号を出力する回数を合算し、合計値Ｃ６を出力する。即ち、図２２の表において、第８段目のように（４Ｃｍ１＋Ｃｍ２）の変位電流のパターンになる回数をカウントする。
【０２３６】
第７合算部乃至第９合算部Ｉｎｔ７、Ｉｎｔ８、Ｉｎｔ９の各々は、デコーダＤｅｃから第７乃至第９判断部ＸＯＲ７、ＸＯＲ８、ＸＯＲ９の出力信号（Ｖａｌｕｅ７、Ｖａｌｕｅ８、Ｖａｌｕｅ９）に該当する３ビット信号の出力回数を合算し、合計値（Ｃ７、Ｃ８、Ｃ９）を算出してして出力する。
第７合算部Ｉｎｔ７は、（Ｖａｌｕｅ７、Ｖａｌｕｅ８、Ｖａｌｕｅ９）が（０，１，０）、（０，１，１）、（１，０，０）、（１，０，１）のパターンの３ビット信号を出力する回数を合算し、合計値Ｃ７を出力する。即ち、図２２の表において、第３段目〜第６段目のように（Ｃｍ１＋Ｃｍ２）の変位電流のパターンになる回数をカウントする。
第８合算部Ｉｎｔ８は、（Ｖａｌｕｅ７、Ｖａｌｕｅ８、Ｖａｌｕｅ９）が（０，０，１）のパターンの３ビット信号を出力する回数を合算し、合計値Ｃ８を出力する。即ち、図２２の表において、第２段目のように（Ｃｍ２）の変位電流のパターンになる回数をカウントする。
第９合算部Ｉｎｔ９は、（Ｖａｌｕｅ７、Ｖａｌｕｅ８、Ｖａｌｕｅ９）が（１，１，１）のパターンの３ビット信号を出力する回数を合算し、合計値Ｃ９を出力する。即ち、図２２の表において、第８段目のように（４Ｃｍ１＋Ｃｍ２）の変位電流のパターンになる回数をカウントする。
【０２３７】
第１電流計算部乃至第３電流計算部Ｃａｌ１、Ｃａｌ２、Ｃａｌ３の各々は、第１合算部Ｉｎｔ１、第２合算部Ｉｎｔ２及び第３合算部Ｉｎｔ３からＣ１、Ｃ２及びＣ３の入力を受けて変位電流の大きさを計算する。
第１電流計算部Ｃａｌ１は、変位電流の係数（Ｃｍ１＋Ｃｍ２）に合計値Ｃ１を乗算して、ｌ番目のスキャン電極ライン上のｑ番目のピクセルのＲ、Ｇ、Ｂセルにおいて、（Ｃｍ１＋Ｃｍ２）のパターンの変位電流の合計の大きさを算出する。
第２電流計算部Ｃａｌ２は、変位電流の係数（Ｃｍ２）に合計値Ｃ２を乗算して、ｌ番目のスキャン電極ライン上のｑ番目のピクセルのＲ、Ｇ、Ｂセルにおいて、（Ｃｍ２）のパターンの変位電流の合計の大きさを算出する。
第３電流計算部Ｃａｌ３は、変位電流の係数（４Ｃｍ１＋Ｃｍ２）に合計値Ｃ３を乗算して、ｌ番目のスキャン電極ライン上のｑ番目のピクセルのＲ、Ｇ、Ｂセルにおいて、（４Ｃｍ１＋Ｃｍ２）のパターンの変位電流の合計の大きさを算出する。
【０２３８】
第４電流計算部乃至第６電流計算部Ｃａｌ４、Ｃａｌ５、Ｃａｌ６の各々は、第４合算部Ｉｎｔ４、第５合算部Ｉｎｔ５及び第６合算部Ｉｎｔ６からＣ４、Ｃ５及びＣ６の入力を受けて変位電流の大きさを計算する。
第４電流計算部Ｃａｌ４は、変位電流の係数（Ｃｍ１＋Ｃｍ２）に合計値Ｃ４を乗算して、ｌ−番目のスキャン電極ライン上のｑ番目のピクセルのＲ、Ｇ、Ｂセルにおいて、（Ｃｍ１＋Ｃｍ２）のパターンの変位電流の合計の大きさを算出する。
第５電流計算部Ｃａｌ５は、変位電流の係数（Ｃｍ２）に合計値Ｃ５を乗算して、ｌ−番目のスキャン電極ライン上のｑ番目のピクセルのＲ、Ｇ、Ｂセルにおいて、（Ｃｍ２）のパターンの変位電流の合計の大きさを算出する。
第６電流計算部Ｃａｌ６は、変位電流の係数（４Ｃｍ１＋Ｃｍ２）に合計値Ｃ６を乗算して、ｌ−番目のスキャン電極ライン上のｑ番目のピクセルのＲ、Ｇ、Ｂセルにおいて、（４Ｃｍ１＋Ｃｍ２）のパターンの変位電流の合計の大きさを算出する。
【０２３９】
第７電流計算部乃至第９電流計算部Ｃａｌ７、Ｃａｌ８、Ｃａｌ９の各々は、第７合算部Ｉｎｔ７、第８合算部Ｉｎｔ８及び第９合算部Ｉｎｔ９からＣ７、Ｃ８及びＣ９の入力を受けて変位電流の大きさを計算する。
第７電流計算部Ｃａｌ７は、変位電流の係数（Ｃｍ１＋Ｃｍ２）に合計値Ｃ７を乗算して、ｌ番目のスキャン電極ライン上のｑ番目のピクセルのＲ、Ｇ、Ｂセルと、ｌ−１番目のスキャン電極ライン上のｑ番目のピクセルのＲ、Ｇ、Ｂセルとの間において、（Ｃｍ１＋Ｃｍ２）のパターンの変位電流の合計の大きさを算出する。
第８電流計算部Ｃａｌ８は、変位電流の係数（Ｃｍ２）に合計値Ｃ８を乗算して、ｌ番目のスキャン電極ライン上のｑ番目のピクセルのＲ、Ｇ、Ｂセルと、ｌ−１番目のスキャン電極ライン上のｑ番目のピクセルのＲ、Ｇ、Ｂセルとの間において、（Ｃｍ２）のパターンの変位電流の合計の大きさを算出する。
第９電流計算部Ｃａｌ９は、変位電流の係数（４Ｃｍ１＋Ｃｍ２）に合計値Ｃ９を乗算して、ｌ番目のスキャン電極ライン上のｑ番目のピクセルのＲ、Ｇ、Ｂセルと、ｌ−１番目のスキャン電極ライン上のｑ番目のピクセルのＲ、Ｇ、Ｂセルとの間において、（４Ｃｍ１＋Ｃｍ２）のパターンの変位電流の合計の大きさを算出する。
【０２４０】
第１電流合算部Ａｄｄ１は、第１乃至第３電流計算部Ｃａｌ１、Ｃａｌ２、Ｃａｌ３各々から計算された変位電流の大きさを合算する。第１電流合算部Ａｄｄ１は、ｌ番目のスキャン電極ライン上のｑ番目のピクセルのＲ、Ｇ、Ｂセルにおいて、各パターンの変位電流の合計値を算出する。
【０２４１】
第２電流合算部Ａｄｄ２は、第４乃至第６電流計算部Ｃａｌ４、Ｃａｌ５、Ｃａｌ６の各々から計算された変位電流の大きさを合算する。第２電流合算部Ａｄｄ２は、ｌ−１番目のスキャン電極ライン上のｑ番目のピクセルのＲ、Ｇ、Ｂセルにおいて、各パターンの変位電流の合計値を算出する。
【０２４２】
第３電流合算部Ａｄｄ３は、第７乃至第９電流計算部Ｃａｌ７、Ｃａｌ８、Ｃａｌ９の各々から計算された変位電流の大きさを合算する。第３電流合算部Ａｄｄ３は、ｌ番目のスキャン電極ライン上のｑ番目のピクセルのＲ、Ｇ、Ｂセルと、ｌ−１番目のスキャン電極ライン上のｑ番目のピクセルのＲ、Ｇ、Ｂセルとの間において、各パターンの変位電流の合計値を算出する。
【０２４３】
このようにして、各々のセルに該当する映像データの変化に対する変位電流の大きさを計算することができる。
【０２４４】
図２３は、前述した図２１乃至図２２を考慮した本発明のプラズマディスプレイ装置において、スキャン駆動部のデータ比較部１０００とスキャン順序決定部１００１のブロック構成図である。
【０２４５】
図２３を考察すると、図２１乃至図２２を考慮したデータ比較部１０００は、図２３に図示された基本回路ブロック４個、即ち第１電流判別部乃至第４電流判別部２０１０'、２０２０'、２０３０'、２０４０'が連結されている構造であり、スキャン順序決定部１００１は４個の基本回路ブロックの出力を比較して最も小さな変位電流を発生するスキャン順序を決定する。
【０２４６】
この際、第１電流判別部２０１０'は、映像データ（ｌ、ｑＲ）と映像データ（ｌ、ｑＧ）、映像データ（ｌ、ｑＧ）と映像データ（ｌ、ｑＢ）、映像データ（ｌ、ｑＢ）と映像データ（ｌ、ｑ−１Ｒ）、映像データ（ｌ−４、ｑＲ）と映像データ（ｌ−４、ｑＧ）、映像データ（ｌ−４、ｑＧ）と映像データ（ｌ−４、ｑＢ）、映像データ（ｌ−４、ｑＢ）と（ｌ−４、ｑ−１Ｒ）、映像データ（ｌ、ｑＲ）と映像データ（ｌ−４、ｑＲ）、映像データ（ｌ、ｑＧ）と（ｌ−４、ｑＧ）及び映像データ（ｌ、ｑＢ）と映像データ（ｌ−４、ｑＢ）の各々を比較する。
【０２４７】
この際、ｌとｌ−４は、ｌ番目のスキャン電極ラインとｌ−４番目のスキャン電極ラインを意味する。ｑＲ、ｑＧ及びｑＢは、ｑ番目のピクセルのＲ、Ｇ、Ｂセルの各々を意味する。ｑ−１Ｒ、ｑ−１Ｇ及びｑ−１Ｂは、ｑ−１番目のピクセルのＲ、Ｇ、Ｂセルの各々を意味する。
【０２４８】
したがって、第１電流判別部２０１０'は、前記のような映像データを比較してＴｙｐｅ４のスキャン順序に対応する変位電流の大きさを計算する。
【０２４９】
第２電流判別部２０２０'は、映像データ（ｌ、ｑＲ）と映像データ（ｌ、ｑＧ）、映像データ（ｌ、ｑＧ）と映像データ（ｌ、ｑＢ）、映像データ（ｌ、ｑＢ）と映像データ（ｌ、ｑ−１Ｒ）、映像データ（ｌ−３、ｑＲ）と映像データ（ｌ−３、ｑＧ）、映像データ（ｌ−３、ｑＧ）と映像データ（ｌ−３、ｑＢ）、映像データ（ｌ−３、ｑＢ）と映像データ（ｌ−３、ｑ−１Ｒ）、映像データ（ｌ、ｑＲ）と映像データ（ｌ−３、ｑＲ）、映像データ（ｌ、ｑＧ）と映像データ（ｌ−３、ｑＧ）及び映像データ（ｌ、ｑＢ）と映像データ（ｌ−３、ｑＢ）の各々を比較する。この際、ｌとｌ−３はｌ番目のスキャン電極ラインとｌ−３番目のスキャン電極ラインを意味する。
【０２５０】
したがって、第２電流判別部２０２０'は、前記のような映像データを比較してＴｙｐｅ３のスキャン順序に対応する変位電流の大きさを計算する。
【０２５１】
第３電流判別部２０３０'は、映像データ（ｌ、ｑＲ）と映像データ（ｌ、ｑＧ）、映像データ（ｌ、ｑＧ）と映像データ（ｌ、ｑＢ）、映像データ（ｌ、ｑＢ）と映像データ（ｌ、ｑ−１Ｒ）、映像データ（ｌ−２、ｑＲ）と映像データ（ｌ−２、ｑＧ）、映像データ（ｌ−２、ｑＧ）と映像データ（ｌ−２、ｑＢ）、映像データ（ｌ−２、ｑＢ）と映像データ（ｌ−２、ｑ−１Ｒ）、映像データ（ｌ、ｑＲ）と映像データ（ｌ−２、ｑＲ）、映像データ（ｌ、ｑＧ）と映像データ（ｌ−２、ｑＧ）及び映像データ（ｌ、ｑＢ）と映像データ（ｌ−２、ｑＢ）の各々を比較する。この際、ｌとｌ−２はｌ番目のスキャン電極ラインとｌ−２番目のスキャン電極ラインを意味する。
【０２５２】
したがって、第３電流判別部２０３０'は、前記のような映像データを比較してＴｙｐｅ２のスキャン順序に対応する変位電流の大きさを計算する。
【０２５３】
第４電流判別部２０４０'は、映像データ（ｌ、ｑＲ）と映像データ（ｌ、ｑＧ）、映像データ（ｌ、ｑＧ）と映像データ（ｌ、ｑＢ）、映像データ（ｌ、ｑＢ）と映像データ（ｌ、ｑ−１Ｒ）、映像データ（ｌ−１、ｑＲ）と映像データ（ｌ−１、ｑＧ）、映像データ（ｌ−１、ｑＧ）と映像データ（ｌ−１、ｑＢ）、映像データ（ｌ−１、ｑＢ）と映像データ（ｌ−１、ｑ−１Ｒ）、映像データ（ｌ、ｑＲ）と映像データ（ｌ−１、ｑＲ）、映像データ（ｌ、ｑＧ）と映像データ（ｌ−１、ｑＧ）及び映像データ（ｌ、 ｑＢ）と映像データ（ｌ−１、ｑＢ）の各々を比較する。この際、ｌとｌ−１はｌ番目のスキャン電極ラインとｌ−１番目のスキャン電極ラインを意味する。
【０２５４】
したがって、第４電流判別部２０４０'は、前記のような映像データを比較してＴｙｐｅ１のスキャン順序に対応する変位電流の大きさを計算する。
【０２５５】
スキャン順序決定部１００１は、第１乃至第４電流判別部２０１０'、２０３０'、２０５０'、２０７０'の各々が計算した変位電流の大きさの入力を受けて、そのうち、最も小さな変位電流を出力した電流判別部によってスキャン順序を決定する。
【０２５６】
例えば、スキャン順序決定部１００１が、第２電流判別部２０２０'から入力を受けた変位電流の大きさが最も小さいと判断すれば、スキャン順序決定部１００１は、スキャン順序を図１４の第３スキャンパルス供給順序（Ｔｙｐｅ３）のようにＹ１−Ｙ４−Ｙ７−・・・・・・、Ｙ２−Ｙ５−Ｙ８−・・・・・・、Ｙ３−Ｙ６−Ｙ９−・・・・・・の順にスキャンするようにする。
【０２５７】
また、スキャン順序決定部１００１が、第３電流判別部２０３０'から入力受けた変位電流の大きさが最も小さいと判断すれば、スキャン順序決定部１００１は、スキャン順序を図１４の第２スキャンパルス供給順序（Ｔｙｐｅ２）のようにＹ１−Ｙ３−Ｙ５−・・・・・・、Ｙ２−Ｙ４−Ｙ６−・・・・・・の順にスキャンするようにする。
【０２５８】
図２４は、本発明に係るデータ比較部とスキャン順序決定部が各サブフィールド別に適用される実施形態のブロック構成図である。
【０２５９】
図２４を考察すると、第１サブフィールド（ＳＦ１）用データ比較部乃至第１６サブフィールド（ＳＦ１６）用データ比較部の各々は、複数のスキャンタイプに対する該当サブフィールドでの映像パターンによる変位電流の大きさを計算して、臨時格納部８００に格納する。
【０２６０】
このような、第１サブフィールド（ＳＦ１）用データ比較部乃至第１６サブフィールド（ＳＦ１６）用データ比較部の各々は、図１９又は図２３に図示されたデータ比較部のブロック構成と同一であり、各サブフィールドでの映像データのパターンによる変位電流の大きさを複数のスキャンタイプの各々に対して算出して臨時格納部８００に格納する。
【０２６１】
スキャン順序決定部１００１は、臨時格納部８００から入力された各サブフィールド別映像データのパターンによる変位電流の大きさを比較して変位電流が最も小さな映像データのパターンを把握してスキャン順序を各サブフィールド毎に決定する。
【０２６２】
このように、本発明に係るプラズマディスプレイ装置及びその駆動方法は、複数個のスキャンパルス供給順序の各々に該当するスキャン電極ライン間の変位電流を計算して、変位電流の大きさが最も小さなスキャンパルス供給順序に該当するラインを順次にスキャンすることを特徴とする。
【０２６３】
即ち、図１４では各々のスキャンパルス供給順序が一定個数だけ規則的に離れたライン間の変位電流を計算して最も変位電流が小さなスキャンパルス供給順序を選択するのであるが、不規則的に、あるいは、任意の規則により離れたライン間の変位電流を計算して最も変位電流が小さなスキャンパルス供給順序を選択できることは勿論である。また、前記では静電容量Ｃｍ１、Ｃｍ２の少なくとも一つを含む加重値（Ｃｍ２、Ｃｍ１＋Ｃｍ２、または、４Ｃｍ１＋Ｃｍ２）を使用して変位電流を算出したが、加重値を使用しないで、変位電流が流れない場合には変位電流の大きさを "ｕ０"ｖとし、変位電流が流れる場合には変位電流の大きさを"ｕ１"ｖとして、"ｕ０"ｖまたは"ｕ１"ｖの値を合計してサブフィールドの変位電流の大きさを求めてもよい。例えば、図１６において、第１〜第３合算部７３６−１〜７３６−３を一つの合算部から構成し、電流算出部７３７−１〜７３７−３及び電流合算部７３８を省略してもよい。この場合、一つの合算部でＣ１、Ｃ２、Ｃ３の出力回数を区別無くカウントし、カウント値自体を変位電流として算出する。
【０２６４】
図２５は、一つのフレーム内で複数のスキャンパルス供給順序のうち、各サブフィールドごとに、いずれか一つのスキャンパルス供給順序を選択する方法の一例を説明するための図である。
【０２６５】
図２５を考察すると、一つのフレームに含まれたサブフィールドのうち、階調加重値が最も低い第１サブフィールドのみで前述した図１４の第２〜第４スキャンパルス供給順序（Ｔｙｐｅ２〜４）の何れかでスキャン電極（Ｙ）をスキャニングし、残りのサブフィールドでは一般的な方法によりスキャニング、即ち順次的なスキャニング方法によりスキャン電極（Ｙ）をスキャニングする。より詳しくは、１フレームのサブフィールドのうち、選択された一つ以上のサブフィールドで複数のスキャンパルス供給順序に対して変位電流を算出し、選択された一つ以上のサブフィールドで前述した変位電流が最小となるスキャンパルス供給順序でスキャン電極（Ｙ）をスキャニングするのである。
【０２６６】
しかしながら、前述した図２４のように、一つのフレームに含まれた各サブフィールド毎に複数のスキャンパルス供給順序に対して変位電流を算出し、各サブフィールド毎に変位電流が最小となるスキャンパルス供給順序でスキャン電極（Ｙ）をスキャニングすることがより好ましい。
【０２６７】
以上の説明を考慮すれば、映像データのパターンが第１パターンと第２パターンを含む場合に、このような映像データの第１パターンでのスキャニング順序と第２パターンでのスキャニング順序が異なることができるということが分かる。これを添付の図２６を参照しつつより詳細に説明すれば次の通りである。
【０２６８】
図２６は、２つの相異する映像データのパターンでスキャン順序が異なることができることを説明するための図である。
【０２６９】
図２６を考察すると、同図（ａ）には、上下及び左右方向に論理レベル'１'と論理レベル'０'が交互に配置される映像データのパターンが表れており、同図（ｂ）には、左右方向には論理レベルが '１'と '０'が交互に配置されるが、上下方向には論理レベルが変わらない映像データのパターンが表れている。
【０２７０】
ここで、同図（ａ）の映像データパターンの場合には、スキャン電極（Ｙ）のスキャン順序がＹ１−Ｙ３−Ｙ５−Ｙ７−Ｙ２−Ｙ４−Ｙ６の順序であり、同図（ｂ）の映像データパターンの場合には、スキャン電極（Ｙ）のスキャン順序がＹ１−Ｙ２−Ｙ３−Ｙ４−Ｙ５−Ｙ６−Ｙ７の順序である。即ち、映像データが同図（ａ）のようなパターンである場合と、同図（ｂ）のようなパターンである場合において、スキャン電極（Ｙ）のスキャン順序が互いに異なるものである。
【０２７１】
このように、スキャン電極（Ｙ）のスキャン順序が調節される理由は、以上で既に詳細に説明したので、これ以上の詳細な説明は省略する。
【０２７２】
図２７は、映像データパターンによるしきい値を設定してスキャニング順序を調節する方法の一例を説明するための図である。
【０２７３】
図２７を考察すると、同図（ａ）には映像データが全てハイレバル、即ち論理レベル'１'である場合が表れており、同図（ｂ）には映像データがＹ１、Ｙ２、Ｙ３スキャン電極ライン上では全て論理レベル'１'であり、Ｙ４スキャン電極ライン上には全て論理レベル'０'である場合が表れており、同図（Ｃ）ではＹ１及びＹ２スキャン電極ラインの１番目、２番目が論理レベル'１'であり、３番目、４番目は論理レベル'０'であり、Ｙ３及びＹ４スキャン電極ライン上では全て論理レベル'０'である場合が表れており、同図（ｄ）では論理レベル'１'と'０'が交互に配置される場合が表れている。
【０２７４】
ここで、同図（ａ）では、データドライバ集積回路のスイッチングが発生せず総スイッチング回数は０であり、同図（ｂ）では、上下方向に総４回のデータドライバ集積回路のスイッチングが発生し、同図（ｃ）では、上下方向に総２回及び左右方向に総２回のスイッチングが発生し、同図（ｄ）では、上下方向に総１２回及び左右方向に総１２回のスイッチングが発生する。これを考察すると、同図（ｄ）の場合がパターンによるロード（Load）が最も大きい場合であることが分かる。
【０２７５】
ここで、前述したデータのパターンによるロード値は、既に詳細に説明したように、該当するデータパターンの横方向のロード値と縦方向のロード値との和で求められることが好ましい。
【０２７６】
この際、予め設定されたしきいロード値が、上下方向に総１０回のスイッチングと左右方向に総１０回のスイッチングによるロードと仮定すれば、前述した図２７（ａ）、（ｂ）、（ｃ）、（ｄ）のパターンのうち、最後の（ｄ）の場合のみ予め設定されたしきいロード値を越えることになる。
【０２７７】
このように、しきいロード値を越えるという意味は、データのパターンによる変位電流の大きさが予め設定されたしきい電流以上であることを意味するということが、以上の本発明に対する説明を通じて分かる。
【０２７８】
このような場合に、図２７（ｄ）のパターンが映像データが供給される際、スキャン電極（Ｙ）のスキャニング順序を調節できる。このようなスキャン電極（Ｙ）のスキャニング順序の調節は既に詳細に説明されたので重複する説明は省略する。
【０２７９】
図２８は、各々複数のスキャン電極（Ｙ）を含むスキャン電極群に対応するスキャン順序を決定する方法の一例を説明するための図である。即ち、図１４では、スキャン電極についてスキャン順序を説明したが、複数のスキャン電極からなるスキャン電極群に対しても、同様に、スキャン順序を定義することができる。
【０２８０】
図２８を考察すると、Ｙ１、Ｙ２、Ｙ３スキャン電極が第１スキャン電極群に設定され、Ｙ４、Ｙ５、Ｙ６スキャン電極が第２スキャン電極群に設定され、Ｙ７、Ｙ８、Ｙ９スキャン電極が第３スキャン電極群に設定され、Ｙ１０、Ｙ１１、Ｙ１２スキャン電極が第４スキャン電極群に設定される。ここで、図２８では各々のスキャン電極群が４個ずつのスキャン電極を含むように設定されたが、これとは異なり、２個、３個、５個等、多様に設定が可能である。
【０２８１】
また、複数のスキャン電極群のうち、一つ以上が他のスキャン電極群と相異する個数のスキャン電極（Ｙ）を含むように設定することも可能である。例えば、第１スキャン電極群には２個のスキャン電極（Ｙ）、第２スキャン電極群には４個のスキャン電極（Ｙ）が含まれるようにすることができる。
【０２８２】
このように、スキャン電極群に設定された場合、前述した図１４の第２タイプ（Ｔｙｐｅ２）を適用するならば、図２８のように、第１スキャン電極群のスキャニング以後に第３スキャン電極群をスキャニングし、次に第２スキャン電極群と第４スキャン電極群を順次にスキャニングする。言い換えると、スキャニング順序がＹ１、Ｙ２、Ｙ３、Ｙ７、Ｙ８、Ｙ９、Ｙ４、Ｙ５、Ｙ６、Ｙ１０、Ｙ１１、Ｙ１２である。
【０２８３】
以上、説明した内容を通じて当業者であれば本発明の技術事象を外れない範囲で変更が可能であり、本発明の技術的範囲は明細書の詳細な説明に記載された内容に限るのではなく、特許請求範囲により定めるはずである。
【図面の簡単な説明】
【０２８４】
【図１】プラズマディスプレイパネルの等価キャパシタンスについて説明するための図である。
【図２】本発明のプラズマディスプレイ装置を説明するための図である。
【図３Ａ】本発明に係るプラズマディスプレイパネルの構造の一例を説明するための図である。
【図３Ｂ】本発明に係るプラズマディスプレイパネルの電極の配置例を説明するための図である。
【図４】本発明のプラズマディスプレイ装置において映像の階調を具現する方法を示す図である。
【図５】本発明のプラズマディスプレイ装置の駆動方法を説明するための図である。
【図６Ａ】本発明のプラズマディスプレイ装置の駆動方法において各々のデータ電極にスキャンパルスの印加時点と互いに異なる時点でデータパルスを印加する方法の一例を説明するための図である（スキャンパルス印加時点の前後にデータパルスを印加開始する場合）。
【図６Ｂ】本発明のプラズマディスプレイ装置の駆動方法において各々のデータ電極にスキャンパルスの印加時点と互いに異なる時点でデータパルスを印加する方法の一例を説明するための図である（スキャンパルス印加時点の後にデータパルスを印加開始する場合）。
【図６Ｃ】図６Ｂの場合におけるスキャン電極とデータ電極との間の電位差を説明する図。
【図６Ｄ】本発明のプラズマディスプレイ装置の駆動方法において各々のデータ電極にスキャンパルスの印加時点と互いに異なる時点でデータパルスを印加する方法の一例を説明するための図である（スキャンパルス印加時点の前にデータパルスを印加開始する場合）。
【図６Ｅ】図６Ｄの場合におけるスキャン電極とデータ電極との間の電位差を説明する図。
【図７Ａ】本発明の駆動方法に係る駆動波形により減少するノイズを説明するための図である。
【図７Ｂ】本発明の駆動方法に係る駆動波形により減少するノイズを説明するための図である。
【図８】本発明のプラズマディスプレイ装置の他の駆動方法を説明するためにデータ電極を４個のデータ電極群に分けたことを説明するための図である。
【図９Ａ】本発明のプラズマディスプレイ装置の駆動方法において、データ電極を複数の電極群に分けて、各々の電極群にスキャンパルスの印加時点と互いに異なる時点でデータパルスを印加する一例を示す図である（スキャンパルス印加時点の前後にデータパルスを印加開始する場合）。
【図９Ｂ】本発明のプラズマディスプレイ装置の駆動方法において、データ電極を複数の電極群に分けて、各々の電極群にスキャンパルスの印加時点と互いに異なる時点でデータパルスを印加する一例を示す図である（スキャンパルス印加時点の後にデータパルスを印加開始する場合）。
【図９Ｃ】本発明のプラズマディスプレイ装置の駆動方法において、データ電極を複数の電極群に分けて、各々の電極群にスキャンパルスの印加時点と互いに異なる時点でデータパルスを印加する一例を示す図である（スキャンパルス印加時点の前にデータパルスを印加開始する場合）。
【図１０】本発明のプラズマディスプレイ装置の駆動方法において、フレーム内で各サブフィールドによってスキャンパルスの印加時点とデータパルスの印加時点を互いに異にする一例を示す図である。
【図１１Ａ】図１０の領域Ｃにおける駆動波形をより詳細に説明するための図である。
【図１１Ｂ】図１０の領域Ｅにおける駆動波形をより詳細に説明するための図である。
【図１１Ｃ】図１０の領域Ｆにおける駆動波形をより詳細に説明するための図である。
【図１２】入力される映像データに係る変位電流の大きさを説明するための図である。
【図１３Ａ】映像データとこれによる変位電流を考慮したスキャン順序を変更する方法の一例を説明するための図である。
【図１３Ｂ】映像データとこれによる変位電流を考慮したスキャン順序を変更する方法の一例を説明するための図である。
【図１４】本発明のプラズマディスプレイ装置の駆動方法における他の適用例を説明するための図である。
【図１５】本発明のプラズマディスプレイ装置の駆動方法を実現するためのスキャン駆動部の構成及び動作をより詳細に説明するための図である。
【図１６】本発明のプラズマディスプレイ装置のスキャン駆動部に含まれるデータ比較部に含まれる基本回路ブロックの構成図である。
【図１７】データ比較部の第１判断部乃至第３判断部の動作をより詳細に説明するための図である。
【図１８】本発明のデータ比較部の基本回路ブロックに含まれた第１乃至第３判断部の出力信号による映像データのパターンを示す図である。
【図１９】本発明のプラズマディスプレイ装置において、スキャン駆動部のデータ比較部とスキャン順序決定部のブロック構成図である。
【図２０】本発明のデータ比較部に含まれた第１乃至第３判断部の出力信号による映像データのパターン内容を示す図である。
【図２１】本発明のプラズマディスプレイ装置のスキャン駆動部に含まれるデータ比較部に含まれる基本回路ブロックの他の構成を説明するための構成図である。
【図２２】本発明の図２１の回路ブロックに含まれた第１乃至第９判断部の出力信号による映像データのパターン内容を示す図である。
【図２３】前述した図２１乃至図２２を考慮した本発明のプラズマディスプレイ装置において、スキャン駆動部のデータ比較部とスキャン順序決定部のブロック構成図である。
【図２４】本発明に係るデータ比較部とスキャン順序決定部が各サブフィールド別に適用される実施形態のブロック構成図である。
【図２５】一つのフレーム内で複数のスキャンパルス供給順序のうち、いずれか一つのスキャンパルス供給順序でスキャン電極をスキャニングするサブフィールドを選択する方法の一例を説明するための図である。
【図２６】２つの相異する映像データのパターンでスキャン順序が異なることができるということを示すための図である。
【図２７】映像データパターンに係るしきい値を設定してスキャニング順序を調節する方法の一例を説明するための図である。
【図２８】各々複数のスキャン電極を含むスキャン電極グループに対応するスキャン順序を決定する方法の一例を説明するための図である。
【符号の説明】
【０２８５】
２００  プラズマディスプレイパネル
２０１  データ駆動部
２０２  スキャン駆動部
２０３  サステイン駆動部
２０４  サブフィールドマッピング部
２０５  データ整列部
３００  前面パネル
３０１  前面基板
３０２  スキャン電極（Ｙ）
３０３  サステイン電極（Ｚ）
３０４  上部誘電体層
３０５  保護層 
３１０  後面パネル
３１１  後面基板
３１２  隔壁
３１３  データ電極（Ｘ）
３１４  蛍光体
３１５  下部誘電体層
７３１  メモリ部
７３５  デコーダ部
７３８  電流合算部 
９０１、９０２、９０３、９０４  データ電極群
１０００  データ比較部
１００１  スキャン順序決定部
１２０４  サブフィールドマッピング部
【図１】
2007133348.tif 000003
【図３Ａ】
2007133348.tif 000004
【図１２】
2007133348.tif 000005
【図１３Ａ】
2007133348.tif 000006
【図１３Ｂ】
2007133348.tif 000007
【図２０】
2007133348.tif 000008
【図２２】
2007133348.tif 000009
【図２６】
2007133348.tif 000010
【図２７】
2007133348.tif 000011
【図２８】
2007133348.tif 000012
【図２】
2007133348.tif 000013
【図３Ｂ】
2007133348.tif 000014
【図４】
2007133348.tif 000015
【図５】
2007133348.tif 000016
【図６Ａ】
2007133348.tif 000017
【図６Ｂ】
2007133348.tif 000018
【図６Ｃ】
2007133348.tif 000019
【図６Ｄ】
2007133348.tif 000020
【図６Ｅ】
2007133348.tif 000021
【図７Ａ】
2007133348.tif 000022
【図７Ｂ】
2007133348.tif 000023
【図８】
2007133348.tif 000024
【図９Ａ】
2007133348.tif 000025
【図９Ｂ】
2007133348.tif 000026
【図９Ｃ】
2007133348.tif 000027
【図１０】
2007133348.tif 000028
【図１１Ａ】
2007133348.tif 000029
【図１１Ｂ】
2007133348.tif 000030
【図１１Ｃ】
2007133348.tif 000031
【図１４】
2007133348.tif 000032
【図１５】
2007133348.tif 000033
【図１６】
2007133348.tif 000034
【図１７】
2007133348.tif 000035
【図１８】
2007133348.tif 000036
【図１９】
2007133348.tif 000037
【図２１】
2007133348.tif 000038
【図２３】
2007133348.tif 000039
【図２４】
2007133348.tif 000040
【図２５】
2007133348.tif 000041